(57)【要約】      （修正有）【課題】中間転写部材で液滴を広がらせることなく、生成されたインクフィルムが球形になる傾向を打ち消すようにする印刷プロセス。【解決手段】インクが、有機ポリマー樹脂および着色剤を水性キャリア中に含み、転写部材が、疎水性の外面を有して、インクの液滴を中間転写部材に向けるステップと、水性キャリアをインク画像から蒸発させることによって、インクを乾燥するステップと、残留フィルムを基材に転写するステップとを備え、インクおよび中間転写部材の表面の化学組成が選択されて、各液滴により生成されたインクフィルムが球形になる傾向を打ち消すようにする印刷プロセス。【選択図】図２
2019073018.tif 000002
【特許請求の範囲】
【請求項１】
印刷プロセスであって、
インク画像を形成するためにインクの液滴を中間転写部材上に向けるステップであって、前記インクが、有機ポリマー樹脂および着色剤を水性キャリア中に含み、前記転写部材が、疎水性の外面を有し、前記インク画像における各インク液滴が、衝突時に前記中間転写部材上で広がって、インクフィルムを形成する、インク画像を形成するためにインクの液滴を中間転写部材に向けるステップと、
前記インク画像が前記中間転写部材により運ばれる間に、樹脂および着色剤の残留フィルムを残すように、前記水性キャリアを前記インク画像から蒸発させることによって、前記インクを乾燥するステップと、
前記残留フィルムを基材に転写するステップとを備え、
前記インクおよび前記中間転写部材の前記表面の化学組成が選択されて、各液滴の外皮中の分子と前記中間転写部材の前記表面の分子との間の分子間引力が、前記中間転写部材の前記表面を濡らすことによって各液滴を広がらせることなく、前記水性キャリアの表面張力の作用下において、各液滴により生成された前記インクフィルムが球形になる傾向を打ち消すようにする、
印刷プロセス。
【請求項２】
前記中間転写部材の前記表面の前記化学組成が、正電荷となる分子を含む、請求項１に記載の印刷プロセス。
【請求項３】
前記中間転写部材の前記外面が、１つまたは２つ以上のブレンステッド塩基官能基を有する分子を含む、請求項２に記載の印刷プロセス。
【請求項４】
前記ブレンステッド塩基官能基が、窒素を含有する原子団を含む、請求項３に記載の印刷プロセス。
【請求項５】
前記窒素を含有するブレンステッド塩基官能基が、線状、分岐もしくは環式、第一級アミン、第二級アミン、第三級アミン、四級化アンモニウム基、およびこれらの組み合わせから選択される、請求項４に記載の印刷プロセス。
【請求項６】
前記ブレンステッド塩基官能基が、ポリマー骨格に共有結合される、請求項５に記載の印刷プロセス。
【請求項７】
前記中間転写部材の前記外面が、アミノシリコーンを含む、請求項６に記載の印刷プロセス。
【請求項８】
前記インクが、ブレンステッド酸官能基を含む１つまたは２つ以上の負に帯電した、または負帯電性の原子団を有する分子を備える、請求項１〜７のいずれか１項に記載の印刷プロセス。
【請求項９】
前記ブレンステッド酸官能基が、カルボン酸基（−ＣＯＯＨ）、アクリル酸基（−ＣＨ２＝ＣＨ−ＣＯＯＨ）、メタクリル酸基（−ＣＨ２＝Ｃ（ＣＨ３）−ＣＯＯＨ）およびスルホン酸基（−ＳＯ３Ｈ）から選択される、請求項８に記載の印刷プロセス。
【請求項１０】
前記ブレンステッド酸官能基が、ポリマー骨格に共有結合される、請求項９に記載の印刷プロセス。
【請求項１１】
前記インクが、カルボン酸官能基を有するスチレンアクリル樹脂を含む、請求項１０に記載の印刷プロセス。
【請求項１２】
前記中間転写部材の負に帯電した、または負帯電性の表面に処理溶液を塗布するステップを備え、その極性を正に変える、請求項１に記載の印刷プロセス。
【請求項１３】
前記中間転写部材の前記負に帯電した、または負帯電性の表面が、シラノール、シリルまたはシラン修飾または終端処理されたポリジアルキルシロキサン硬化性シリコーンポリマー、またはそのハイブリッド、またはその混合物、あるいはこれらの組み合わせから選択される分子を含む、請求項１２に記載の印刷プロセス。
【請求項１４】
前記負に帯電した、または負帯電性の分子が、次式（Ｉ）、
【化１】
2019073018.tif 000004
で表される硬化性シラノール終端処理ポリジアルキルシロキサンシリコーンであり、
上式で、Ｒ１からＲ６が、それぞれ独立に、飽和もしくは不飽和の、線状、分岐もしくは環式のＣ１からＣ６までのアルキル基であり、Ｒ７は、ＯＨ、Ｈまたは飽和もしくは不飽和の、線状、分岐もしくは環式のＣ１からＣ６までのアルキル基からなる群から選択され、ｎは、５０から４００までの整数である、請求項１３に記載の印刷プロセス。
【請求項１５】
前記硬化性シリコーンが、縮合硬化によって硬化される、請求項１３または１４に記載の印刷プロセス。
【請求項１６】
前記処理溶液が、線状、分岐および環式、第一級アミン、第二級アミン、第三級アミン、四級化アンモニウム基から選択されるアミン窒素原子を含有するポリマーからなる調整剤を備え、前記ポリマーが、高電荷密度ならびに少なくとも１０，０００ｇ／モルの分子量を有する、請求項１２〜１５のいずれか１項に記載の印刷プロセス。
【請求項１７】
前記処理溶液が、グアーヒドロキシプロピルトリモニウムクロリド、ヒドロキシプロピルグアーヒドロキシプロピル−トリモニウムクロリド、線状または分岐ポリエチレンイミン、改質ポリエチレンイミン、ビニルピロリドンジメチルアミノプロピルメタクリルアミド共重合体、ビニルカプロラクタムジメチルアミノプロピルメタクリルアミドヒドロキシエチルメタクリレート、四級化ビニルピロリドンジメチルアミノエチルメタクリレート共重合体、ポリ（ジアリルジメチル−アンモニウムクロリド）、ポリ（４−ビニルピリジン）およびポリアリルアミンを含む群から選択される１つまたは２つ以上の調整剤を備える、請求項１６に記載の印刷プロセス。
【請求項１８】
前記処理溶液が、線状または分岐ポリエチレンイミン（ＰＥＩ）を含む、請求項１７に記載の印刷プロセス。
【請求項１９】
前記処理溶液が、コーティングローラ、流体源、霧雨、エアナイフ、およびこれらの組み合わせから選択される手段によって前記中間転写部材の前記表面に塗布され、また、オプションで、ワイパーまたはエアジェットによって前記表面から直ちに除去される、請求項１２〜１８のいずれか１項に記載の印刷プロセス。
【請求項２０】
前記処理溶液が、前記インク画像形成の前に、溶媒を蒸発させるために加熱される希薄溶液であり、これにより、前記インク液滴が実質的に乾燥した表面上に向けられる、請求項１２〜１９のいずれか１項に記載の印刷プロセス。
【請求項２１】
前記中間転写部材が、可撓性のエンドレスブランケットまたはベルトであり、その外面が、前記インク画像が形成される前記疎水性の外面である、請求項１〜２０のいずれか１項に記載の印刷プロセス。
【請求項２２】
前記ポリマー樹脂が、アクリル重合体およびアクリル−スチレン共重合体から選択されるアクリル系ポリマーであり、前記着色剤が、顔料からなる、請求項１〜２１のいずれか１項に記載の印刷プロセス。
【請求項２３】
前記残留フィルムを前記基材上に転写する前に、前記インク画像が、前記水性キャリアの蒸発後に残る樹脂および着色剤の前記残留フィルムが軟化した状態にされる温度に加熱される、請求項１〜２２のいずれか１項に記載の印刷プロセス。
【請求項２４】
前記中間転写部材上における前記残留フィルムの前記温度が、前記基材の前記温度よりも高く、それにより、前記残留フィルムが、前記基材への付着の際に冷える、請求項２３に記載の印刷プロセス。
【請求項２５】
前記残留フィルムの熱レオロジー特性が、前記冷却により前記残留フィルムの凝集性が高まるように選択され、それにより、その凝集性が前記転写部材へのその付着性を超えて、実質的にすべての前記残留フィルムが前記中間転写部材から分離され、フィルムとして前記基材上に押しつけられるようにする、請求項２４に記載の印刷プロセス。
【請求項２６】
前記残留フィルムが、前記フィルムに覆われた領域やその厚さへの大幅な修正なしで、前記基材上に押し付けられる、請求項２５に記載の印刷プロセス。
【請求項２７】
印刷システムであって、
インク画像を形成するためにインクの液滴が中間転写部材上に向けられる画像形成機構であって、前記インクが、有機ポリマー樹脂および着色剤を水性キャリア中に含み、前記転写部材が、疎水性の外面を有して、前記インク画像における各インク液滴が、衝突時に前記中間転写部材上で広がって、インクフィルムを形成するようにする、画像形成機構と、
前記インク画像が前記中間転写部材により運ばれる間に、樹脂および着色剤の残留フィルムを残すように、前記水性キャリアを前記インク画像から蒸発させることによって、前記インクが乾燥される乾燥機構と、
前記残留フィルムが前記中間転写部材から基材に転写される印圧付与機構と
を備え、
前記インクおよび前記中間転写部材の前記表面の化学組成が選択されて、各液滴の外皮中の分子と前記中間転写部材の前記表面の分子との間の分子間引力が、前記中間転写部材の前記表面を濡らすことによって各液滴を広がらせることなく、前記水性キャリアの表面張力の作用下において、各液滴により生成された前記インクフィルムが球形になる傾向を打ち消すようにする、
印刷システム。
【請求項２８】
前記乾燥機構が、前記中間転写部材の前記表面上に加熱気体流を向けるための送風機を備える、請求項２７に記載の印刷システム。
【請求項２９】
前記乾燥機構が、前記中間転写部材の前記表面上に電磁放射を向けるための放射源を備える、請求項２７または２８に記載の印刷システム。
【請求項３０】
前記乾燥機構が、前記中間転写部材の下に配置される加熱プレート、および、前記転写部材が取り付けもしくは案内され得る胴または支持面内に配置される加熱要素の両方、またはいずれか一方を備える、請求項２７〜２９のいずれか１項に記載の印刷システム。
【請求項３１】
異なるインクの色が、前記画像形成機構において連続的に前記中間転写部材の前記表面に塗布され、加熱気体が、それらの付着後であるが、次のインクの色の前記中間転写部材上への付着前に各インクの色の前記液滴上に吹きかけられる、請求項２７〜３０のいずれか１項に記載の印刷システム。
【請求項３２】
前記印圧付与機構が、圧縮性の外面を有する、または圧縮性のブランケットを担持する加圧胴と、圧胴とを備え、前記画像転写部材が、前記加圧胴の周囲の長さよりも長さが長く、前記圧胴および加圧胴の間のニップを通過し、エンドレスベルトの長さの一部分のみの上で前記加圧胴に接触するエンドレスベルトを備える、請求項２７〜３１のいずれか１項に記載の印刷システム。
【請求項３３】
前記中間転写部材が、エンドレスブランケットであり、ガイドローラまたは支持面上に案内される圧縮性の層を組み込み、かつ、可動式のニップローラが圧胴に対して押し付けられることによって選択的に変形し得る走行面またはその領域を有する、請求項２７〜３１のいずれか１項に記載の印刷システム。
【請求項３４】
前記ブランケットが、２つのニップローラが２つの圧胴に接触することによって変形可能であり、前記ニップローラの距離間隔が、前記圧胴の周囲の長さの１を含む整数の倍数に等しい、請求項３３に記載の印刷システム。
【請求項３５】
前記中間転写部材が、前記部材の側縁部に横方向の構造をさらに備え、前記横方向の構造が、少なくとも前記画像形成機構に配置される案内溝に適合して、前記転写部材をその幅方向にピンと張った状態に維持する、請求項２７〜３４のいずれか１項に記載の印刷システム。
【請求項３６】
洗浄機構、冷却機構、仕上げ機構、コーティング機構、断裁機構、化粧断ち機構、パンチング機構、エンボス機構、ミシン入れ機構、押し罫機構、ステッチング機構および綴じ機構から選択される１つまたは２つ以上の機構をさらに備える、請求項２７〜３５のいずれか１項に記載の印刷システム。
【発明の詳細な説明】
【技術分野】
【０００１】
本発明は、デジタル印刷プロセスに関する。
【背景技術】
【０００２】
印刷版を用意する必要なく、プリンタがコンピュータからの命令を直接受信できるようにするデジタル印刷技術が開発されてきた。これらの中には、乾式電子写真方式のプロセスを用いるカラーレーザプリンタがある。乾式トナーを用いるカラーレーザプリンタは、特定の用途には適しているが、雑誌などの出版物で許容される写真品質の画像を生成しない。
【０００３】
ショートラン高品質デジタル印刷に適するプロセスは、ＨＰ−Ｉｎｄｉｇｏプリンタで用いられている。このプロセスでは、レーザ光に曝露することによって、静電像が、帯電した画像担持胴上に生成される。静電荷は、油性インクを引きつけて、画像担持胴上にカラーインク画像を形成する。次いで、インク画像は、ブランケット胴によって、紙または任意のその他の基材上に転写される。
【０００４】
インクジェットおよびバブルジェット（登録商標）プロセスは、家庭用およびオフィス用プリンタでよく用いられる。これらのプロセスでは、インクの液滴は、画像パターンで最終基材上に吹き付けられる。一般に、インクによる紙基材内へのウィッキングのために、このようなプロセスの解像度には限界がある。したがって、基材は、一般に、使用する特定のインクジェット印刷構成の固有の特性に合うように選択される、または適合させる。紙などの線維性の基材は、一般に、調整されたやり方で液体インクを吸収するように、また、その基材の表面の下方への浸透を阻止するように設計された特別なコーティングを要する。しかしながら、特別にコーティングされた基材を用いることは、特定の印刷用途、特に商業印刷にとっては不適当な高価な選択である。さらに、基材の表面が濡れたままとなり、後で基材を取り扱う際、例えば、積み重ねたり、ロールに巻き付けたりする際に汚れないようにするためにインクを乾かすために、さらなる高価かつ時間のかかるステップを要するという点で、コーティングされた基材の使用は、それ自身問題を生み出す。その上、基材が過度に濡れていると、コックリングを生じ、基材の両面への印刷（両面印刷（ｐｅｒｆｅｃｔｉｎｇ  ｏｒ  ｄｕｐｌｅｘ  ｐｒｉｎｔｉｎｇ）とも呼ばれる）を不可能ではないにしても難しくする。
【０００５】
また、多孔性紙、またはその他の繊維性材料の上に直接インクジェット印刷すると画像品質が劣る。これは、印刷ヘッドおよび基材表面の間の距離の変動のためである。
【０００６】
間接またはオフセット印刷技術を用いることで、基材上への直接インクジェット印刷に関する多くの問題が克服される。中間画像転写部材の表面とインクジェット印刷ヘッドとの間の距離を一定に維持することができ、また、インクは基材に塗布される前に中間画像部材上で乾燥し得ることから、基材の濡れを抑制する。その結果、基材上での最終的な画像品質は、基材の物理的特性による影響が少ない。
【０００７】
インクまたはバブルジェット（登録商標）装置からインク液滴を受けて、インク画像を形成した後、その像を最終基材に転写する転写部材の使用が、特許文献で報告されている。これらのシステムのうちの様々なものが、水性キャリアを有するインク、非水性キャリア液を有するインク、またはキャリア液を全く持たないインク（固体インク）を利用している。
【０００８】
水性インクの使用には多くの明らかな利点がある。非水性液体インクと比べると、キャリア液は、毒性がなく、画像が乾く際に蒸発する液体に対処する時に問題が無い。固体インクと比べると、印刷された画像上に残る材料の量を制御でき、印刷された画像をより薄く、より鮮やかな色にできる。
【０００９】
一般に、最終基材の構造内への画像のブリードを回避するために、画像が最終基材に転写される前に、液体の相当な割合、またはすべてさえも中間転写部材上の画像から蒸発する。文献では、画像を加熱するステップと、転写部材上の画像粒子の凝集に続く、加熱、エアナイフまたはその他の手段による液体の除去の連携とが含まれる、液体を除去するための様々な方法が説明される。
【００１０】
一般に、シリコーンでコーティングされた転写部材が好ましく、それは、これが乾燥した画像の最終基材への転写を容易にするためである。しかしながら、シリコーンは疎水性であり、このことは、インク液滴を転写部材上において球形にしてしまう。このことは、インク中の水の除去を困難にし、さらに、液滴およびブランケットの間の接触面積を減らし、これが、高速な動作中、インク画像を不安定な状態にしてしまう。
【００１１】
それほど球形にならないようにするために、界面活性剤および塩が用いられて、インクの液滴の表面張力を抑制してきた。これらは、確かに、問題を部分的に軽減する助けにはなるが、解決するものではない。
【発明の概要】
【００１２】
印刷プロセスが本明細書に開示され、印刷プロセスが、インク画像を形成するために、インクの液滴を中間転写部材上に向けるステップであって、インクが、有機ポリマー樹脂および着色剤を水性キャリア中に含み、転写部材が、疎水性の外面を有し、インク画像における各インク液滴が、衝突時に中間転写部材上で広がって、インクフィルムを形成する、インク画像を形成するために、インクの液滴を中間転写部材に向けるステップと、インク画像が中間転写部材により運ばれる間に、樹脂および着色剤の残留フィルムを残すように、水性キャリアをインク画像から蒸発させることによって、インクを乾燥するステップと、残留フィルムを基材に転写するステップとを備え、ここでは、インクおよび中間転写部材の表面の化学組成が選択されて、各液滴の外皮中の分子と中間転写部材の表面の分子との間の分子間引力が、中間転写部材の表面を濡らすことによって各液滴を広がらせることなく、水性キャリアの表面張力の作用下において、各液滴により生成されたインクフィルムが球形になる傾向を打ち消すようにする。
【００１３】
本明細書において「球形になる（ｔｏ  ｂｅａｄ）」という動詞は、パンケーキ状または円盤状のフィルムを径方向に収縮させ、かつ厚みを増さしめて、玉（ｂｅａｄ）、つまり、略球形の小球を形成するような、表面張力の作用を表すのに用いられる。
【００１４】
着色剤は、顔料、染料またはこれらの組み合わせであり得る。特に、着色剤は、少なくとも１０ｎｍ、また最大で３００ｎｍの平均粒子径Ｄ５０を有する顔料であり得るが、このような範囲は、各インクの色によって変化し得るものであり、一部の実施形態では、顔料は、最大で２００ｎｍまたは最大で１００ｎｍのＤ５０を有し得る。
【００１５】
中間転写部材上の疎水性の外面は、これが残留フィルムの基材への最終的な転写を助ける際には望ましい。しかしながら、このような疎水性の外面または剥離層は、インク画像形成の間には望ましくなく、それは、球状のインク液滴が高速に移動する中間転写部材によって安定に運ばれ得ないため、また、それらがより厚いフィルムになって、基材の表面の被覆率が低下するためである。本発明は、中間転写部材の表面の疎水性にもかかわらず、中間転写部材の表面への衝突の際におけるインク液滴の平坦化によって生じた、各インク液滴の薄いパンケーキ形を維持する、または凝固させることを目指す。
【００１６】
この目的を達成するために、本発明は、インクにおける帯電した分子と、中間転写部材の外面における帯電した分子との間の分子間力に基づくものであり、これらの静電相互作用は、ファンデルワールス力としても知られている。インクにおける分子と、中間転写部材の外面における分子とは、互いに帯電可能であり、相互作用の際に反対に帯電され得、交差分極プロセスは誘導とも呼ばれ、あるいはこれらは、このような相互作用の前から反対の電荷であり得る。
【００１７】
「仕事関数」または「表面エネルギー」は、表面から電子が放出され得る容易さの尺度である。シリコーンでコーティングされた表面などの従来型の疎水性表面は、容易に電子を与え、負に帯電しているとされる。水性キャリア中のポリマー樹脂は、同様に、一般に、負に帯電している。したがって、追加的なステップが採用されることがなければ、全分子間力は、中間転写部材にインクをはじかせ、液滴は、球状の小球へと球形になりやすい。
【００１８】
本発明の一部の実施形態では、中間転写部材の表面の化学組成は、正電荷となるように改変される。例えば、１つまたは２つ以上のブレンステッド塩基官能基を有する中間転写部材分子の表面を含めること、また特別な窒素含有分子を含めることによって、このことは達成され得る。適切な正に帯電した、あるいは正帯電性の原子団には、第一級アミン、第二級アミン、および第三級アミンが含まれる。このような原子団は、ポリマー骨格に共有結合され得、例えば、中間転写部材の外面は、アミノシリコーンを備える。
【００１９】
このような正帯電性の剥離層の分子の官能基は、インクの分子のブレンステッド酸官能基と相互作用し得る。適切な負に帯電した、または負帯電性の原子団には、例えば、カルボン酸基（−ＣＯＯＨ）、アクリル酸基（−ＣＨ２＝ＣＨ−ＣＯＯＨ）、メタクリル酸基（−ＣＨ２＝Ｃ（ＣＨ３）−ＣＯＯＨ）を有するカルボキシル化された酸、および、例えば、スルホン酸基（−ＳＯ３Ｈ）を有するスルホン酸塩が含まれる。このような原子団は、ポリマー骨格に共有結合され得、好ましくは、水溶性または水分散性である。適切なインク分子は、例えば、カルボン酸官能基を有するアクリル重合体およびアクリル−スチレン共重合体などのアクリル系樹脂を備え得る。
【００２０】
化合物を転写部材内に取り込ませて、各液滴の外皮を中間転写部材の表面に可逆的に付着させることは、明らかな利点を有するが、今日までに見出されている適切な化合物（例えば、アミノシリコーン）は、高い動作温度に耐えるのに限られた能力しか持ちえず、より低温で動作するように、あるいは高温の期間を短くした状態に印刷プロセスが改善されない限り、最終的に転写部材の寿命を短くする。
【００２１】
本発明の一部の実施形態で導入される、中間転写部材の負に帯電した疎水性の表面によってインク液滴がはじかれないようにするための代替策は、中間転写部材の表面に調整／処理溶液を塗布して、その極性を正に反転することである。中間転写部材のこのような処理を、正電荷の非常に薄い層を塗布しているとみなすことができ、これは、それ自体が中間転写部材の表面内に吸収されるが、その反対側に、負に帯電したインクの分子が相互作用し得る正味の正電荷を呈する。
【００２２】
このような調整溶液の調合に適する化学物質は、比較的高電荷密度であり、同じである必要はなく、組み合わせされ得る複数の官能基にアミン窒素原子を含有するポリマーであり得る（例えば、第一級、第二級、第三級アミンまたは第四級アンモニウム塩）。分子量が数百から数千の巨大分子は、適切な調整剤であり得るが、１０，０００ｇ／モルまたはそれ以上の高い分子量のポリマーは好ましいと考えられている。適切な調整剤には、グアーヒドロキシプロピルトリモニウムクロリド、ヒドロキシプロピルグアーヒドロキシプロピル−トリモニウムクロリド、線状または分岐ポリエチレンイミン、改質ポリエチレンイミン、ビニルピロリドンジメチルアミノプロピルメタクリルアミド共重合体、ビニルカプロラクタムジメチルアミノプロピルメタクリルアミドヒドロキシエチルメタクリレート、四級化ビニルピロリドンジメチルアミノエチルメタクリレート共重合体、ポリ（ジアリルジメチル−アンモニウムクロリド）、ポリ（４−ビニルピリジン）およびポリアリルアミンが含まれる。
【００２３】
ポリエチレンイミン（ＰＥＩ）などの高電荷密度の化学物質は、中間転写部材の表面に衝突した後にインク液滴が球形になるのを阻止するのに、特に有効であることが分かってきた。
【００２４】
化学物質は、希薄溶液として、好ましくは、水溶液として塗布され得る。溶液は、インク液滴が実質的に乾燥した表面上に向けられるインク画像形成の前に、加熱されて溶媒を蒸発させる。
【００２５】
単一の希薄ＰＥＩ溶液の液滴が、疎水性の表面上に滴下された後、直ちに高圧空気流によって吹き飛ばされて蒸発させられる場合、インク液滴は、その後にのみ、このように短時間であっても、希薄ＰＥＩ溶液と接触した表面の一部分上に球形になることなく付着することが実験的に判明している。このような塗布は、ごくわずかな分子の厚さを有する層のみを残すことができ（おそらく単分子層）、インクとの相互作用は、ＰＥＩ層の質量とインク液滴の質量との間の著しい差を考慮すると、化学量論的な化学的相互作用では有り得ない。
【００２６】
インク中の粒子をわずかな数以上に引きつけるには、転写部材上の電荷の量が少なすぎるため、液滴中の粒子の濃度および分布は実質的に変化しないと考えられる。さらに、このような相互作用が起こり得る期間は、比較的短く、最大で数秒であり、一般に１秒未満である。
【００２７】
驚くべきことに、分子間引力が、安定後の液滴の形状に重大な影響を持つことが分かった。パンケーキ状または円盤状の形状から球形の小球に戻るには、表面張力は、インク液滴の外皮を、中間転写部材の表面から剥がさなければならない。しかしながら、こうして液滴の表皮を表面から分離することに分子間力が逆らい、その結果は、このような調整なしで同じ表面に付着させた同量の液滴よりも度合いの大きい、比較的平坦なインクの液滴となる。さらに、液滴が到達していない領域では転写部材の効果的な疎水性の性質が維持されることから、最初の衝突の際に達成された分を超える液滴の広がりは、ほとんどない、あるいはまったくなく、液滴の境界ははっきりしている、つまり、インク液滴による中間転写部材の表面の濡れはなく、したがって、定まった円形の輪郭を有する液滴が得られる。
【００２８】
本発明による印刷プロセスおよびシステムに適する溶液の調整に関するさらなる詳細は、同時係属中のＰＣＴ国際出願第ＰＣＴ／ＩＢ２０１３／０００７５７号（代理人参照番号第ＬＩＰ  １２／００１  ＰＣＴ）に開示されている。
【００２９】
本発明の一部の実施形態では、中間転写部材は、ブランケットであり、その外面は、インク画像が形成される疎水性の外面である。しかしながら、代替的に、中間転写部材をドラムとして構成することもできる。
【００３０】
本発明の一部の実施形態の特徴によれば、残留フィルムを基材上に転写する前に、インク画像は、水性キャリアの蒸発後に残る樹脂および着色剤の残留フィルムが軟化する温度に加熱される。ポリマー樹脂を軟化することは、これを粘着性のあるものにし、その以前の転写部材に付着する能力と比べて、その基材に付着する能力を高め得る。
【００３１】
中間転写部材上における粘着性の残留フィルムの温度は、基材の温度よりも高いものであり得、それにより、残留フィルムは、基材への付着の際に冷える。
【００３２】
残留フィルムの熱レオロジー特性を適切に選択することによって、冷却の効果は、残留フィルムの凝集性を高めるものになり得、それにより、その凝集性がその転写部材への付着性を超えて、実質的にすべての残留フィルムが中間転写部材から分離され、フィルムとして基材上に押しつけられるようにする。このようにして、残留フィルムが、フィルムに覆われた領域やその厚さへの大幅な修正なしで、確実に基材上に押し付けられるようにすることができる。本発明の方法態様を実施するための印刷システムが本明細書にさらに開示される。
【００３３】
水性インクを用いて印刷された基材が本明細書にさらに開示され、ここで、印刷された画像が、複数のインクドットで形成され、各インクドットが、実質的に一様な厚さのフィルムによって構成され、印刷された画像が、基材の表面粗さを超えて突き抜けることなく、基材の外面を覆う。平均フィルム厚さは、１５００ｎｍ、１２００ｎｍ、１０００ｎｍ、８００ｎｍを超えないこともあり、５００ナノメートルまたはそれ未満であり得、また、少なくとも５０ｎｍ、少なくとも１００ｎｍ、または少なくとも１５０ｎｍであり得る。
【００３４】
本発明の実施形態では、隣接するインクドットに融合しない画像中の各インクドットは、定まった円形の輪郭を有する。
【００３５】
本発明の一部の実施形態の特徴は、インクの組成に関する。インクは、好ましくは水性キャリアを利用し、これは、揮発性の炭化水素キャリアを利用するインクで生じる安全に関する懸念および汚染問題を低減する。概して、インクは、転写部材上に非常に小さい液滴を密集して塗布するのに必要とされる物理的特性を有していなければならない。インクのその他の必要な性質は、以下のプロセスの説明において明らかになる。
【００３６】
平坦化された構成に留まる液滴の形状に寄与し得るその他の効果には、液体の粘性を高めるための液滴の迅速な加熱、シリコーン層の疎水性効果を抑制するバリア（ポリマーコーティングまたは調整剤）およびインクの表面張力を抑制する界面活性剤がある。
【００３７】
一般に、インクジェットプリンタは、色の純度、表面を完全に覆う能力およびインクジェットノズルの密度の間でトレードオフを要する。（球形になった後の）液滴が小さい場合、完全に覆うには、液滴を密集させる必要がある。しかしながら、液滴をピクセル間の距離よりも接近させるのは非常に問題含み（かつ高価）である。上述のようなやり方で、所定の位置に保持される、比較的平坦な液滴フィルムを形成することによって、液滴によってなされる被覆は完全に近づき得る。
【００３８】
本発明の一部の実施形態の態様では、画像中のキャリア液は、転写部材上に形成された後に画像から蒸発させられる。液滴中の着色剤は、液滴内に分散または溶解されるため、この液体を除去するための好適な方法は、転写部材を加熱する、または転写部材上に形成された後、画像を外部から加熱する、あるいはこれらの組み合わせによって、画像を加熱することによる。
【００３９】
本発明の一部の実施形態では、キャリアは、転写部材の表面上に加熱気体（例えば、空気）を吹きかけることによって、蒸発させられる。
【００４０】
一部の実施形態では、異なるインクの色は、連続的に中間転写部材の表面に塗布され、加熱気体は、それらの付着後であるが、次のインクの色の中間転写部材上への付着前に各インクの色の液滴上に吹きかけられる。このようにして、異なる色のインク液滴が互いに混じりあうことが抑制される。
【００４１】
本発明の好適な実施形態では、インク中のポリマー樹脂は、加熱される時に残留フィルムを形成するポリマーである（本明細書において、残留フィルムの語は、乾燥後のインク液滴を指すのに用いられる）。平均分子量約６０，０００ｇ／モルのアクリル重合体およびアクリル−スチレン共重合体が適することが分かっている。本発明による印刷プロセスおよびシステムに適する非限定的なインク組成物の例に関するさらなる詳細は、同時係属中のＰＣＴ国際出願第ＰＣＴ／ＩＢ２０１３／０５１７５５号（代理人参照番号第ＬＩＰ  １１／００１  ＰＣＴ）に開示されている。
【００４２】
好ましくは、すべての液体が蒸発させられるが、フィルムの形成に干渉しない少量の液体が存在し得る。
【００４３】
残留フィルムの形成には、多くの利点がある。これらのうちの１つ目は、画像が最終基材に転写される際、すべて、またはほとんどすべての画像が転写され得ることである。これにより、取り外せない方法で連結される、残留物を転写部材から除去するための洗浄機構のないシステムが可能になる。より重大な別の利点は、基材を覆う画像の厚さが一定の状態で、画像が基材に付着するのを可能にすることである。加えて、画像が基材の表面下に侵入するのを阻止する。
【００４４】
一般に、画像が転写される、または基材上に形成される場合、液体のままでは、画像が基材の繊維内およびその表面下に侵入する。このことは、着色剤の一部が繊維に阻まれるために、色むらや色深度の低下を引き起こす。
【００４５】
本発明の好適な実施形態によれば、残留フィルムは非常に薄く、好ましくは１５００ナノメートル未満、より好ましくは１０ｎｍおよび８００ｎｍの間、より好ましくは５０ｎｍおよび５００ｎｍの間である。このような薄膜は、完全なままで基材に転写され、非常に薄いことから、基材の表面を、その凹凸に密接に追従することによって、再現する。このことは、印刷された領域と印刷されていない領域との間における基材の光沢の差がはるかに少ないという結果となる。
【００４６】
残留フィルムが、中間転写部材から最終基材に転写される印圧付与機構に到達すると、好ましくは前もって基材に付着するために粘着性を生じる温度に加熱されて、基材に押し付けられる。
【００４７】
好ましくは、基材は、一般に加熱されず、画像を冷却して、凝固させ、中間転写部材の表面に残留フィルムを一切残すことなく基材に転写する。この冷却を有効にするために、インク中のポリマーには追加的な制約が加えられる。
【００４８】
キャリアを水性キャリアと称する事実は、インクにおける特定の有機材料、特に、無害な水混和性有機材料および共溶媒の両方、またはいずれか一方の存在を排除することを意図するものではないが、実質的にインクにおける揮発性材料のすべては、好ましくは水である。
【００４９】
中間転写部材の外面は、疎水性であり、ひいては吸水しないため、シリコーンでコーティングされた転写部材および炭化水素キャリア液体を用いる市販製品の転写部材の表面を変形させることが分かった膨張は、実質的に存在し得ない。結果として、上に説明したプロセスは、従来技術の中間転写部材の表面に比べて、非常に滑らかな剥離面を達成し得る。
【００５０】
画像転写面が疎水性であり、ひいては吸水しないため、基材が濡れないようにすべき場合、実質的にすべてのインク中の水が蒸発させられるはずである。
【００５１】
ここで、例として、添付の図面を参照しながら、本発明はさらに説明され、図面に示される構成要素および特徴の寸法は、説明の簡便さおよび明確さのために選択されており、必ずしも原寸に比例していない。
【図面の簡単な説明】
【００５２】
【図１】本発明の実施形態によるプリンタの概略分解斜視図である。
【図２】図１のプリンタの概略縦断面図である。ここで、様々なプリンタの構成要素は、原寸に比例していない。
【図３】本発明の実施形態による、ブランケットを取り外した状態のブランケット支持システムの斜視図である。
【図４】その内部構成を示す図３のブランケット支持システムの断面図である。
【図５】本発明の実施形態による、連続的な巻取基材上に印刷するためのプリンタの概略斜視図である。
【図６】覆いを取り外した状態の図１の印刷システムの斜視図である。
【図７】図６の可動式ガントリのためのロック機構の概略図である。
【図８】覆いおよび表示スクリーンが所定の位置にある状態の印刷システムの概略斜視図である。
【図９】本発明の第２の実施形態による、本発明の印刷システムの概略図である。
【図１０】ブランケットの端部間に不連続部内にローラを有する図９の実施形態で用いられる加圧胴の斜視図である。
【図１１】ベルトが形成される条片の平面図である。条片が、その縁部に沿って、ベルトを案内する際に助けるための歯を有する。
【図１２】図１１のベルトの歯をその中に受ける案内部の断面図である。
【発明を実施するための形態】
【００５３】
全体の概要
図１および図２のプリンタは、３つの別個の、互いに作用するシステム、すなわち、ブランケットシステム１００と、ブランケットシステム１００の上方の画像形成システム３００と、ブランケットシステム１００の下方の基材搬送システム５００とを基本的に備える。
【００５４】
ブランケットシステム１００は、中間転写部材として働き、２つのローラ１０４、１０６の上に案内されるエンドレスベルトまたはブランケット１０２を備える。水性インクのドットで作られる画像は、画像形成システム３００によって、本明細書において画像形成機構と呼ばれる場所で、ブランケット１０２の上側走行面（ｒｕｎ）に塗布される。下側走行面は、基材搬送システム５００の２つの圧胴５０２および５０４と、２つの印圧付与機構において選択的に相互作用して、ブランケット１０２と、それぞれの圧胴５０２、５０４との間においてそれぞれの加圧ローラまたはニップローラ１４０、１４２の作用により、画像を基材上に押し付ける。後に説明するように、２つの圧胴５０２、５０４があることの目的は、両面印刷を可能にすることである。単純なプリンタの場合、１つの印圧付与機構のみが必要とされる。図１および図２のプリンタは、両面印刷物の印刷速さの２倍の速さで片面の印刷物を印刷できる。加えて、片面印刷物と両面印刷物とが混ざったロットもまた印刷できる。
【００５５】
動作中、インク画像は、このそれぞれが、最終基材上に押し付けられる画像の鏡像であるのだが、画像形成システム３００によってブランケット１０２の上側走行面上に印刷される。ここで、「走行面（ｒｕｎ）」の語は、ブランケットが案内される任意の２つのローラ間のブランケットの長さまたは部分である。ブランケット１０２によって運ばれる間に、インクを加熱して、液体キャリアのすべてではないにしてもほとんどの蒸発により、これを乾燥する。インク画像は、さらに加熱されて、液体キャリアの蒸発後に残っているインク固形物のフィルムを粘着性にする。このフィルムは、各インク液滴から形成される液体フィルムと区別するために、残留フィルムと呼ばれる。圧胴５０２、５０４において、基材搬送システム５００によって、入力スタック５０６から圧胴５０２、５０４を介して出力スタック５０８に搬送される個々の枚葉基材５０１に、画像が押し付けられる。
【００５６】
図示されていないが、ブランケットシステムは、定期的に、または印刷ジョブの間にブランケットを「リフレッシュ」するのに用いられ得る洗浄機構をさらに備える。洗浄機構は、任意の残留インク画像または任意のその他の剥離層からの粒子の跡を穏やかに除去するように構成される１つまたは２つ以上の装置を備え得る。一実施形態では、洗浄機構は、転写部材の表面に洗浄液を塗布するように構成される装置、例えば、洗浄液をその周囲上に有するローラを備え得、これは、好ましくは交換可能であるべきである（例えば、パッドまたは一片の紙）。残留粒子は、オプションで、吸収性のローラによって、または１つまたは２つ以上の掻き取り刃によってさらに除去され得る。
【００５７】
画像形成システム
図５に最もよく示されているように、画像形成システム３００は、ブランケット１０２の表面に、一定の高さに位置するフレーム３０４上にそれぞれが取り付けられる印刷バー３０２を備える。各印刷バー３０２は、ブランケット１０２上の印刷領域と同じくらいの幅であり、個別に制御可能なプリントノズルを備える一片の印刷ヘッドを備え得る。画像形成システムは、任意の数のバー３０２を有することができ、これらのそれぞれは、異なる色の水性インクを収容し得る。
【００５８】
一部の印刷バーは、特定の印刷ジョブの間には必要とされないこともあるため、ヘッドは、ブランケット１０２の上に横たわる作動位置と、非作動位置との間を移動し得る。印刷バー３０２を、それらの作動および非作動位置の間で移動するための機構が提供されるが、印刷プロセスに関係しないため、機構は図示されておらず、本明細書に説明する必要もない。なお、バーは、印刷中には、静止したままである。
【００５９】
それらの非作動位置に移動した時、印刷バーは、保護のために、また印刷バーのノズルが乾燥したり動きが妨げられたりするのを防ぐために覆われる。本発明の実施形態では、印刷バーは、この作業を補助する液体槽（図示せず）の上方で停止される。別の実施形態では、例えば、ノズルリムを取り囲んで形成される残留インク付着物を除去することによって、印刷ヘッドは、洗浄される。このような印刷ヘッドのメンテナンスは、ノズルプレートの密着拭き取りから、離れた所からのノズルへの洗浄溶液の吹き付け、および陽圧または陰圧の空気による洗浄したインク付着物の除去にわたる任意の適切な方法で達成され得る。非作動位置にある印刷バーは、その他の印刷バーを用いて印刷ジョブが進行中であっても、メンテナンスのために容易に交換およびアクセスされ得る。
【００６０】
各印刷バー内では、インクは、常に、再循環され、濾過され、脱気され、また所望の温度および圧力に維持される。印刷バーの設計は従来式であってもよく、あるいは少なくともその他のインクジェット印刷用途で用いられる印刷バーに類似であってもよいことから、それらの構成および動作は、より詳細な説明がなくとも当業者には明らかである。
【００６１】
異なる印刷バー３０２がブランケットの長さに沿って互いに離間していることから、ブランケット１０２の動きと正確に同期されることがそれらの動作にとってもちろん重要である。
【００６２】
所望の場合、図９の本発明の実施形態に関連して以下に説明されるように、各印刷バー３０２に追従して、中間転写部材上に高温の気体流、好ましくは空気流を吹き出して、印刷バー３０２により付着させられたインク液滴の乾燥を開始する送風機を提供することもできる。このことは、各印刷バー３０２により付着させられた液滴を固定するのを助ける、つまり、それらの収縮に逆らい、中間転写部材上におけるそれらの移動を阻止し、引き続いてその他の印刷バー３０２により付着させられた液滴に混じりあうのを阻止する。
【００６３】
ブランケットおよびブランケット支持システム
ブランケット１０２は、本発明の一実施形態では、継ぎ目を有する。特に、ブランケットは、最初は平坦な条片から形成され、この端部が取り外し可能または取り外し不可能に互いに留められて、連続的なループを形成する。取り外し可能な締結部は、ジッパーまたは面ファスナであり得、これは、ブランケットが案内されるローラ１０４および１０６の軸に対して実質的に平行に置かれる。取り外し不可能な締結部は、接着剤またはテープを用いることにより達成され得る。
【００６４】
シーム部がこれらのローラ上を通過する時に、ブランケットの張力の急激な変化を避けるために、ブランケットの残りの部分と同じ厚さのシーム部を、可能な限り近づけて作ることが望ましい。ローラの軸に対してシーム部を傾斜させることもできるが、このことは、印刷不可能画像領域を拡大するという犠牲を伴う。
【００６５】
あるいは、ブランケットは継ぎ目なしであり得、それ故、印刷システムからの特定の制約を緩和する（例えば、シーム部の位置の同期）。継ぎ目の有無によらず、ブランケットの主な目的は、インク画像を画像形成システムから受けて、乾燥しているが乱されていないその画像を印圧付与機構に転写することである。各印圧付与機構でインク画像を容易に転写できるように、ブランケットは、疎水性の薄い上側剥離層を有する。インクが塗布され得る転写部材の外面は、シリコーン材料を備え得る。適切な条件下で、シラノール、シリルまたはシラン修飾または終端処理されたポリジアルキルシロキサンシリコーン材料およびアミノシリコーンがよく機能することが分かっている。しかしながら、選択された材料が転写部材から最終基材への画像の剥離を可能とする限り、シリコーンの正確な配合は重要ではない。非限定的な剥離層および中間転写部材の例に関するさらなる詳細は、同時係属中のＰＣＴ国際出願第ＰＣＴ／ＩＢ２０１３／０５１７４３号（代理人参照番号第ＬＩＰ  １０／００２  ＰＣＴ）および第ＰＣＴ／ＩＢ２０１３／０５１７５１号（代理人参照番号第ＬＩＰ  １０／００５  ＰＣＴ）に開示されている。好適には、剥離層を形成する材料は、吸水しないようにすることができる。
【００６６】
一部の実施形態では、シラノール終端処理ポリジアルキルシロキサンシリコーンは、次式で表され得る。
【化１】
2019073018.tif 000003
ここで、Ｒ１からＲ６は、それぞれ独立に、飽和もしくは不飽和の、線状、分岐もしくは環式のＣ１からＣ６までのアルキル基であり、Ｒ７は、ＯＨ、Ｈまたは飽和もしくは不飽和の、線状、分岐もしくは環式のＣ１からＣ６までのアルキル基からなる群から選択され、ｎは、５０から４００までの整数である。
【００６７】
硬化性シリコーンは、縮合硬化によって硬化され得る。
【００６８】
好ましくは、剥離層の材料は、インクのキャリア液、またはその外面に塗布され得る任意のその他の流体のキャリア液によって、転写部材が膨張しない（または溶媒和されない）ように選択される。一部の実施形態では、剥離層の膨張は、最大で１．５重量％または最大で１％であり、膨張は、２０時間１００℃で評価された。
【００６９】
ブランケットの強度は、支持層または補強層に由来し得る。一実施形態では、補強層は、生地から形成される。生地が織物の場合、生地の縦糸および横糸は、異なる組成または物理的構造を有して、ブランケットの弾性が、以下に説明される理由のために、好ましくは実質的に非伸縮性であるその長さ方向よりも、その幅方向（ローラ１０４および１０６の軸に対して平行）において大きくなるようにし得る。一実施形態では、補強層の長手方向の繊維は、実質的に印刷方向に合わせられ、高性能繊維で作られる（例えば、アラミド、カーボン、セラミック、ガラスファイバなど）。
【００７０】
ブランケットは、補強層および剥離層の間に追加の層を備えて、例えば、基材の表面に対する剥離層のなじみ性および圧縮性を提供し得る。ブランケットの上に提供されるその他の層は、蓄熱部または部分的熱バリアとして、または剥離層に静電荷が付与されるのを可能にする、あるいはこれらの組み合わせとして作用する。その支持構造上で回転される際のブランケット上の摩擦抵抗を制御するために、内層がさらに提供され得る。前述の層を互いに付着または接続するために、またはそれぞれの間で分子の移動を阻止するために、その他の層が含まれ得る。
【００７１】
図１の実施形態におけるブランケットを支持する構造が、図３および図４に示されている。２つの細長い張り出し部（ｏｕｔｒｉｇｇｅｒ）１２０は、複数の横梁１２２によって相互に連結されて、水平な梯子状のフレームを形成し、その上に残りの構成要素が取り付けられる。
【００７２】
ローラ１０６は、張り出し部１２０上に直接取り付けられる軸受において軸支される。一方、反対側の端部では、ローラ１０４は、張り出し部１２０に対する摺動動作のために案内されるピローブロック１２４において軸支される。モータ１２６、例えば、電気モータは、ステッピングモータであってもよいのだが、適切なギアボックスを介して働いて、ローラ１０４および１０６の軸が互いに平行であるように保ちながら、それらの間の距離を変えるように、ピローブロック１２４を動かす。
【００７３】
熱伝導性の支持板１３０は、横梁１２２の上に取り付けられて、支持フレームの上側および下側の両側に、連続する平坦な支持面フレームを形成する。個々の支持板１３０間の接合部は、ブランケット１０２の長さに平行に走る線が生じないように、互いに意図的にずらされる（例えば、ジグザグ形にされる）。電気加熱要素１３２は、板１３０の横孔内に挿入されて、板１３０に、さらに板１３０を介してブランケット１０２の上側走行面に熱を加える。その他の上側走行面を加熱手段が当業者には想到されるはずであり、下方から、上方から、または内部からの加熱を含み得る。板の加熱はまた、少なくとも転写が起こるまでは、ブランケットの下側走行面を加熱するように働き得る。
【００７４】
また、ブランケット支持フレーム上には、２つの圧力またはニップローラ１４０、１４２が取り付けられる。加圧ローラは、支持フレームの下側、支持フレームを覆う支持板１３０間の隙間に配置される。加圧ローラ１４０、１４２は、図２および図５に最も明瞭に示されるように、基材搬送システムの圧胴５０２、５０４にそれぞれ位置合わせされる。各圧胴および対応する加圧ローラは、以下に説明するように連携させる場合、印圧付与機構を形成する。
【００７５】
加圧ローラ１４０、１４２のそれぞれは、好ましくは、ブランケットの下側走行面から上下させ得るように取り付けられる。一実施形態では、各加圧ローラは、それぞれのアクチュエータ１５０、１５２によって回転可能な偏心器上に取り付けられる。そのアクチュエータによって支持フレーム内の上方位置に上昇させられると、各加圧ローラは、対向する圧胴から離間させられ、ブランケットが、圧胴自身とも圧胴によって搬送される基材とも接触することなく、圧胴のそばを通り過ぎることができるようにする。他方、そのアクチュエータによって下方に移動させられる場合、各加圧ローラ１４０、１４２は、隣接する支持板１３０の平面を超えて、下方に突出し、ブランケット１０２の一部分を変形させ、これを対向する圧胴５０２、５０４に対して押し付ける。この下方の位置において、これは、インプレッションローラ（または図５の実施形態の巻取基材）上で搬送される最終基材に対して、ブランケットの下側走行面を押す。
【００７６】
ローラ１０４および１０６は、それぞれの電気モータ１６０、１６２に接続される。モータ１６０は、より強力であり、ブランケットを図３および図４にみられるように、時計回りに駆動するように働く。モータ１６２は、トルク反作用を提供し、ブランケットの上側走行面における張力を調整するのに用いられ得る。ブランケットの上側および下側走行面において同じ張力が維持される実施形態では、モータは、同じ速度で動作し得る。
【００７７】
本発明の代替的な実施形態では、モータ１６０および１６２は、インク画像が形成されるブランケットの上側走行面では、より高い張力を維持し、ブランケットの下側走行面では、より低い張力を維持するように操作される。下側走行面のより低い張力は、ブランケット１０２の圧胴５０２および５０４への突然の係合および係脱によって生じた急な摂動を吸収するのを助ける。
【００７８】
当然のことながら、本発明の実施形態では、加圧ローラ１４０および１４２は、ローラの両方、どちらか一方または一方のみが、下方の位置にあり、そのそれぞれの圧胴およびその間を通過するブランケットに係合するように、独立に下降および上昇され得る。
【００７９】
本発明の実施形態では、扇風機または送風機（図示せず）がフレームに取り付けられて、ブランケットおよびその支持フレームによって周囲を囲まれる体積１６６において大気圧より低い圧力を維持する。陰圧は、良好な熱的接触を達成するために、フレームの上側および下側の両側の支持板１３０に対して、ブランケットを平坦に保つように働く。ブランケットの下側走行面が、ややたるむように取り付けられる場合、陰圧はまた、加圧ローラ１４０、１４２が作動していない場合、ブランケットが、圧胴に接触しないようにするのを助ける。
【００８０】
本発明の実施形態では、張り出し部１２０のそれぞれはまた、連続トラック１８０を支持し、これは、ブランケットの側縁部上の構造に係合して、ブランケットをその幅方向にピンと張った状態に保つ。構造は、片側をブランケットの側縁部に縫い付け、またはその他の方法で取り付けたジッパーの務歯などの間隔を空けた突出部であり得る。あるいは、構造は、ブランケットよりも厚みのある連続的な可撓性の玉であり得る。横方向トラック案内溝は、ブランケットの横方向構造を受けて保持し、ピンと張った状態を保つのに適する任意の断面を有し得る。摩擦を低減するために、案内溝は、転がり軸受要素を有して、突出部または玉を溝内に保持し得る。
【００８１】
ブランケットをその支持フレーム上に取り付けるために、本発明の一実施形態によれば、トラック１８０に沿って入口点が提供される。ブランケットの一端が横方向に伸ばされ、その縁部上の構造が、入口点を通って、トラック１８０内に挿入される。ブランケットの縁部上の構造に係合する適切な器具を用いて、ブランケットを支持フレームを一周するまでトラック１８０に沿って前進させる。次いで、ブランケットの端部は、互いに締結されて、エンドレスループまたはベルトを形成する。次いで、ローラ１０４および１０６は離されて、ブランケットに張力をかけ、これを所望の長さに伸ばす。トラック１８０の部分は、伸縮自在に折り畳み可能であって、ローラ１０４および１０６の間の距離が変わるのに応じて、トラックの長さが変化できるようにする。
【００８２】
一実施形態では、ブランケットの細長い条片の端部は、有利な形状にされて、据え付け時に、横方向トラックまたは溝を通るブランケットの案内を助ける。ブランケットを所定位置につけるための最初の案内は、例えば、横方向の溝１８０の間に最初に導かれるブランケット条片の前縁部を、ベルトを据え付けるために手動または自動で移動され得る紐に固定することによってなされ得る。例えば、一方または両方のブランケット前縁部の横方向の端部は、各溝内に存在する紐に取り外し可能に取り付けられる。紐（複数可）を前進させると、ブランケットが溝の経路に沿って前進する。代替的または追加的に、両方の縁部が互いに固定される際に、最終的にシーム部を形成する領域にあるベルトの縁部は、シーム部以外の領域よりも低い可撓性を有し得る。この局所的な「剛性」は、ブランケットの横方向突出部をそれらのそれぞれの溝内に挿入するのを容易にし得る。
【００８３】
続く据え付けでは、ブランケット条片は、はんだ付け、糊付け、テーピング（例えば、結合条片が条片の両方の縁部に重なる状態で、Ｋａｐｔｏｎ（登録商標）テープ、ＲＴＶ液体接着剤またはＰＴＦＥ熱可塑性接着剤を用いる）、または任意のその他の一般に知られる方法によって、縁部と縁部とを合わせて接着されて、連続的なベルトループを形成し得る。ベルトの端部を接合するいかなる方法も、本明細書においてシーム部と呼ばれる不連続性を生じ得、厚さの増加、あるいはシーム部におけるベルトの化学的特性および機械的特性の両方、またはいずれか一方の不連続性を回避することが望ましい。
【００８４】
本発明の印刷システム、ならびにこれを据え付ける方法において用いられ得るブランケットまたはベルトに適する構成の非限定的な例に関するさらなる詳細は、同時係属中のＰＣＴ国際出願第ＰＣＴ／ＩＢ２０１３／０５１７１９号（代理人参照番号第ＬＩＰ  ７／００５  ＰＣＴ）に開示されている。
【００８５】
画像がブランケット上に適切に形成され、最終基材に転写されるために、また、両面印刷における表面および裏面の画像の位置合わせを達成するために、多くの異なるシステムの要素が適切に同期しなければならない。画像をブランケット上に適切に配置するためには、ブランケットの位置および速度を把握かつ制御しなければならない。本発明の実施形態では、ブランケットは、その縁部またはその縁部付近に、ブランケットの移動方向に離間する１つまたは２つ以上のマーキングで印を付けられる。１つまたは２つ以上のセンサ１０７は、これらのマーキングがセンサを通過すると、そのタイミングを感知する。画像を転写ブランケットから基材に適切に転写するためには、ブランケットの速度と、インプレッションローラの表面の速度とは、同じでなければならない。センサ（複数可）１０７からの信号は、コントローラ１０９に送信される。コントローラはまた、例えば、インプレッションローラ（図示せず）の一方または両方の軸上のエンコーダから、インプレッションローラの回転速度および角度位置の示度をも受信する。センサ１０７、または別のセンサ（図示せず）はまた、ブランケットのシーム部がセンサを通過する時間を判定する。ブランケットの使用可能な長さを最大限に利用するためには、ブランケット上の画像は、シーム部にできる限り近づけて開始することが望ましい。
【００８６】
コントローラは、電気モータ１６０および１６２を制御して、ブランケットの線速度が、インプレッションローラの表面の速度と確実に同じになるようにする。
【００８７】
ブランケットは、シーム部に由来する使用できない領域を含むため、ブランケットの連続サイクルにおいて、この領域が確実に印刷された画像に対して常に同じ位置に保たれるようにすることが重要である。また、シーム部が圧胴を通過する時はいつでも、（以下に説明する基材把持部を収容する）圧胴の表面における不連続が確実に加圧ブランケットに面する時間と常に一致させることが好ましい。
【００８８】
好ましくは、ブランケットの長さは、圧胴５０２、５０４の周囲の長さの整数倍となるように設定される。圧胴が２枚の基材を収容し得る実施形態では、ブランケットの長さは、圧胴の周囲の長さの半分の整数倍であり得る。ブランケット１０２の長さは時とともに変化するため、好ましくは、ブランケットの速度を瞬間的に変えることによって、インプレッションローラに対するシーム部の位置が変更される。同期が再び達成された場合、ブランケットの速度は、圧胴５０２、５０４に係合していない時に、インプレッションローラの速度に一致するように再び調整される。ブランケットの長さは、ブランケットが測定上完全に一周する間に、ローラ１０４、１０６のうちの一方の回転を測定するシャフトエンコーダにより決定され得る。
【００８９】
コントローラはまた、印刷バーへのデータの流れのタイミングを制御し、印刷の技術分野における当業者に知られるような、印刷システムの任意のオプションのサブシステムの適切なタイミングを制御し得る。
【００９０】
この速度、位置およびデータフローの制御は、画像形成システム３００、基材搬送システム５００およびブランケットシステム１００の間の同期を確実にし、最終基材上の適切な位置のためのブランケット上の正しい位置で、画像が確実に形成されるようにする。ブランケットの位置は、ブランケットの長さに沿って異なる位置に取り付けられた複数のセンサ１０７によって検出される、ブランケットの表面上のマーキング手段によって監視される。これらのセンサの出力信号は、印刷バーに対して、画像転写面の位置を示すために用いられる。センサ１０７の出力信号の解析は、モータ１６０および１６２の速度を制御するためにさらに用いられて、これを圧胴５０２、５０４に一致させる。
【００９１】
その長さが同期における要因であることから、ブランケットは、伸長およびクリープに耐えることが求められる。他方、横断方向においては、支持板１３０との摩擦に起因する過度な抵抗を生じることなく、ブランケットを平らに、ピンと張った状態に保つことだけが求められる。本発明の実施形態において、ブランケットの弾性が意図的に異方性にして作られるのは、このためである。
【００９２】
ブランケットの前処理
図１は、本発明の実施形態による、ブランケットの外部で、ローラ１０６のすぐ手前に配置されたローラ１９０を概略的に示している。このようなローラ１９０は、オプションで用いられて、化学物質、例えば、帯電したポリマーの希薄溶液を含有する前処理溶液の薄膜を、ブランケットの表面に塗布し得る。フィルムは、好ましくは、画像形成システムの印刷バーに到達する時間には完全に乾いていて、ブランケットの表面上に非常に薄い層を残す。この層は、インク液滴が、ブランケットの表面に衝突した後、そのフィルム状の形状を維持するのを助ける。
【００９３】
平坦なフィルムを塗布するのにローラが用いられ得る一方で、代替的な実施形態では、前処理または調整材料がブランケットの表面上に吹き付けられ、例えば、エアナイフからの噴流、散布による霧雨または流体源（ｆｏｕｎｔａｉｎ）からの振動の適用によって、より平らに広がる。前処理溶液は、そこに触れさせた後、すぐに転写部材から除去され得る（例えば、拭き取ることにより、またはエアフローを用いて）。オプションの調整溶液を塗布するのに用いた方法とは関係なく、必要に応じて、このようなプレプリント処理が行われ得る位置は、本明細書において調整機構と呼ばれ得る。
【００９４】
塗布される化学物質の目的は、ブランケットの疎水性の剥離層との接触の際に、水性インクの表面張力の影響を打ち消すことである。このような前処理化学物質、例えば、ポリエチレンイミンなどのなんらかの帯電したポリマーは、転写部材のシリコーン表面に（少なくとも一時的に）結合して、正に帯電した層を形成すると考えられる。しかしながら、このような層に存在する電荷の量は、液滴自体の電荷の量よりもはるかに少ないと考えられる。発明者らは、非常に薄い層、おそらく分子の厚さの層でさえ十分であることを見出した。この転写部材の前処理の層は、非常に希薄な適切な化学物質の形態で塗布され得る。最終的に、この薄い層は、押し付けられる画像と共に基材上に転写される。
【００９５】
液滴が転写部材上に衝突した時、液滴のモーメントが、それを比較的平坦な体積に広げる。従来技術においては、この液滴の平坦化は、液滴の表面張力と、転写部材の表面の疎水性の性質との組み合わせによって、ほとんど瞬時に打ち消される。
【００９６】
本発明の実施形態では、インク液滴の形状は、「凝固され」て、衝突で生じた液滴の平坦化および水平方向への拡張の少なくとも一部、また好ましくは大部分が維持されるようにする。当然のことながら、衝突後の液滴の形状の復元は非常に速いため、従来技術の方法は、凝集、または凝固、または移動、あるいはこれらの組み合わせによる相変化をもたらさない。
【００９７】
衝突の際、転写部材上の正電荷が、部材の表面にすぐ隣接する負に帯電したインク液滴のポリマー粒子を引きつけると考えられる。液滴が広がると、広がった液滴と転写部材との間の界面全体に沿って、この効果が起こる。
【００９８】
粒子をわずかな数以上に引きつけるには、電荷の量が少なすぎるため、液滴中の粒子の濃度および分布は実質的に変化しないと考えられる。さらに、インクが水性であることから、正電荷の影響は、特に、液滴の形状を凝固させるのにかかる極短時間では、極めて局所的である。
【００９９】
出願者らは、ローラを用いてポリマーで中間転写部材をコーティングすることが、液滴を凝固させるのに効果的な方法であることを見出したが、吹き付け、またはその他の方法で化学的に正電荷を中間転写部材に運ぶこともまた、はるかに複雑なプロセスであるが、可能であると考えられる。
【０１００】
本発明の代替的な実施形態では、インク液滴が収縮する傾向は、液滴の外皮が剥離層の表面から剥がれ落ちるのに逆らうように働く分子間引力を確立するような、インクおよびブランケット上の剥離層のうちの一方または他方の化学組成の適切な選択によって打ち消される。
【０１０１】
選択される前処理溶液の平均厚さは、初期塗布、オプションの除去および乾燥した段階の間で変わり得、一般に、１０００ナノメートル未満、８００ｎｍ未満、６００ｎｍ未満、４００ｎｍ未満、２００ｎｍ未満、１００ｎｍ未満、５０ｎｍ未満、２０ｎｍ未満、１０ｎｍ未満、５ｎｍ未満、または２ｎｍ未満である。
【０１０２】
インク画像の加熱
支持板１３０内に挿入される加熱器１３２は、インクキャリアの迅速な蒸発に適し、ブランケットの組成に適合する温度にブランケットを加熱するために用いられる。例えば、シラノール、シリル、またはシラン修飾または終端処理されたポリジアルキルシロキサンシリコーンを剥離層に備えるブランケットでは、加熱は、一般に、１５０℃のオーダーであるが、この温度は、インクおよび必要であれば整溶液の両方、またはいずれか一方の組成などの様々な要因に応じて１２０℃から１８０℃の範囲内で変わり得る。アミノシリコーンを備えるブランケットは、一般に、７０℃から１３０℃の間の温度に加熱され得る。説明した転写部材の下方からの加熱を用いる場合、ブランケットは、比較的高い熱容量および低い熱伝導率を有して、オプションの前処理または調整機構と、画像形成機構と、印圧付与機構（複数可）との間で、ブランケット１０２の本体の温度が大幅に変化しないようにすることが望ましい。転写表面によって運ばれるインク画像を異なるレートで加熱するには、例えば、インク残留物を粘着性の状態にする印圧付与機構に到達する前、必要に応じて調整剤を乾燥する画像形成機構の前、およびブランケットの表面に衝突後できるだけ早くインク液滴からキャリアを蒸発させ始める画像形成機構の前に、外部加熱器またはエネルギー源（図示せず）が用いられ得る。
【０１０３】
外部加熱器は、例えば、（図１に概略的に示されるような）高温気体または空気の送風機３０６、あるいは、例えば、赤外線放射をブランケットの表面に集中させる放射放熱器であり得、これは、１７５℃、１９０℃、２００℃、２１０℃、または２２０℃さえ超える温度に到達し得る。
【０１０４】
紫外線に感光する成分を含有するインクの場合、インクがブランケットによって運ばれる際、インクの硬化を助けるために紫外線源が用いられ得る。
【０１０５】
基材搬送システム
基材搬送は、図１および図２の実施形態の場合、個々の枚葉基材を印圧付与機構に搬送するように、あるいは図５に示されるように、連続的な巻取基材を搬送するように設計される。
【０１０６】
図１および図２の場合、個々の枚葉紙は、例えば、往復動アームによって、入力スタック５０６の頂部から枚葉紙を第１の圧胴５０２に供給する第１の搬送ローラ５２０に送られる。
【０１０７】
図示されていないが、それ自体知られる、様々な搬送ローラおよび圧胴は、各枚葉基材の前縁部を持つために、カム操作されて、それらの回転に同期して適宜開閉する把持部を組み込み得る。本発明の実施形態では、少なくとも圧胴５０２および５０４の把持部の先端は、胴の外面を超えて突出しないように設計されて、ブランケット１０２に損傷を与えないようにする。
【０１０８】
圧胴５０２およびその上に載せられたブランケット１０２の間を通過する間に、加圧ローラ１４０によって、画像が基材枚葉紙の一方の側上に押しつけられた後、枚葉紙は、搬送ローラ５２２によって、周囲の長さが圧胴５０２、５０４の２倍である両面印刷胴５２４に供給される。枚葉紙の前縁部は、両面印刷胴により運ばれる枚葉紙の後縁部を把持部が捕捉するように、また枚葉紙を第２の圧胴５０４に供給して、第２の画像がその反対側上に押し付けられるように時間調節される搬送ローラ５２６を過ぎ、両面印刷胴によって搬送される。今やその両面に画像が印刷された枚葉紙は、ベルトコンベア５３０によって第２の圧胴５０４から出力スタック５０８に送られ得る。
【０１０９】
図示されていないが、さらなる実施形態では、印刷された枚葉紙は、出力スタックに送達される前（インライン仕上げ）、またはこのような出力送達の後（オフライン仕上げ）のいずれかにおいて、あるいは２つまたは３つ以上の仕上げステップが行われる場合には組み合わせて、１つまたは２つ以上の仕上げステップを受け得る。このような仕上げステップには、限定するものではないが、ラミネート、糊付け、シーティング（ｓｈｅｅｔｉｎｇ）、折り、グリッタリング（ｇｌｉｔｔｅｒｉｎｇ）、箔押し、保護および化粧コーティング、断裁、化粧断ち、パンチング、エンボス、デボッシング、ミシン入れ、押し罫、印刷された枚葉紙のステッチングおよび綴じが含まれ、また、２つまたは３つ以上が組み合され得る。仕上げステップは、適切な従来型の装置、あるいは少なくとも類似の原理を用いて行われてもよいことから、それらのプロセスへの組み込み、および本発明のシステムにおけるそれぞれの仕上げ機構のそれらの組み込みは、より詳細な説明がなくとも当業者には明らかである。
【０１１０】
ブランケット上に印刷される画像は、圧胴の周囲の長さに対応する距離だけ常に互いに離間されるため、２つの圧胴５０２および５０４の間の距離は、圧胴５０２、５０４の周囲の長さに等しいか、この距離の倍数でなければならない。ブランケット上の画像の長さは、言うまでもなく、圧胴の寸法ではなく基材の寸法に依存する。
【０１１１】
図５の実施形態では、巻取基材５６０は、供給ロール（図示せず）から引き出され、巻取紙を単一の圧胴５０２を通り越して案内する、軸を固定されたいくつかのガイドローラ５５０および固定胴５５１の上を通過する。
【０１１２】
その上を巻取紙５６０が通過するローラのいくつかは、固定軸を有していない。特に、巻取紙５６０の給紙側では、垂直に動くことができるローラ５５２が提供される。それ自体の重さだけで、または必要に応じてその軸上に作用するばねの助けと共に、ローラ５５２は、巻取紙５６０に一定の張力を維持するように働く。何らかの理由により供給ローラの摩擦が一時的に大きくなると、ローラ５５２は上昇し、また反対にローラ５５２は自動的に下降して、供給ロールから引き出された巻取紙のたるみを取る。
【０１１３】
圧胴においては、巻取紙５６０は、ブランケットの表面と同じ速度で移動する必要がある。各枚葉紙がインプレッションローラに到達したならば確実に印刷されるようにする、インプレッションローラによって基材枚葉紙の位置が固定されている、上に説明した実施形態とは異なり、巻取紙５６０がブランケット１０２に圧胴５０２で持続的に係合される場合、印刷された画像の間に置かれる基材の多くは、浪費される。
【０１１４】
この問題を緩和するために、圧胴５０２の両側に、モータ駆動であり、互いに同期して反対方向に上下する２つのダンサー５５４および５５６が提供される。画像が巻取紙上に押し付けられた後、加圧ローラ１４０は、係脱されて、巻取紙５６０とブランケットとが互いに対して移動できるようにする。係脱の直後、ダンサー５５６が上昇させられるのと同時に、ダンサー５５４は、下降させられる。残りの巻取紙は、その通常の速度で前方に移動し続けるが、ダンサー５５４および５５６の動きは、圧胴５０２と、これが係脱したブランケット１０２との間の間隙を通して、短い長さの巻取紙５６０を後方に移動する効果がある。これは、圧胴５０２に追従する巻取紙の走行面からたるみを取り、圧胴に先行する走行面に移すことによってなされる。次いで、ダンサーの動きは、それらを図示の位置に戻すように反転されて、圧胴での巻取紙の部分が、再びブランケットの速度まで加速されるようにする。これで加圧ローラ１４０は再び係合して、次の画像を巻取紙に押し付け得るが、巻取紙上に印刷された画像の間に大きな空白領域を残すことはない。
【０１１５】
図５は、巻取紙の片面のみに印刷するため、単一のインプレッションローラのみを有するプリンタを示している。両面に印刷するために、２つのインプレッションローラを有するタンデムシステムが提供され得、インプレッションローラ間に巻取紙反転機構が提供されて、両面印刷のための巻取紙の反転を可能にし得る。あるいは、ブランケットの幅が巻取紙の幅の２倍を超える場合、同じブランケットを二等分にしたものと圧胴とを用いて、巻取紙の異なる部分の両面に同時に印刷することができる。
【０１１６】
ここで図６から図８を参照すると、メンテナンスのために印刷システムの様々な構成要素にアクセスできるようにするために、画像形成システム３００およびブランケットシステム１００は、基材搬送システム５００を収容する基部９１０に対して垂直方向に移動可能な共通のガントリ９００上に取り付けられ、ガントリは、持ち上げられているときは常に、圧胴（複数可）に対して水平かつ平行に保たれる。ガントリ９００は、堅固な構造体であり、これに、個々の印刷バーフレーム３０４が固定される。印刷バーフレーム３０４は、印刷システムの基部９１０に張り出し、張り出している領域が、現在使用中ではない印刷バーを保持するように用いられる。モータ駆動の機構が各フレーム３０４内に提供されて、ブランケットシステム１００を張り出すその作動位置と、張り出した停止位置との間で、関連する印刷バーを動かす。
【０１１７】
ガントリ９００は、基部９１０の各角に１つずつ配置される４つの油圧ジャッキ９３０によって、印刷システムの基部９１０上に支持される。各油圧ジャッキ９３０は、円柱を有し、その上端部が、クランプ９３２によってガントリ９００に固定され、下端部が、クランプ９３４によってブランケットシステム１００に固定される。各油圧ジャッキ９３０のピストン棒は、印刷システムの基部９１０に移動可能に固定され、多少の相対的な動きが提供されて、印刷システムが動作中の場合、ブランケットシステム１００の基材搬送システム５００との正確な位置合わせを可能にする。
【０１１８】
各ジャッキのピストン棒は中空であり、またその下端に継手が提供されて、油圧作動液が油圧ジャッキの作動室から導入および排出され得るようにする。流体継手が定置の印刷システムの一部分に連結されるため、ジャッキ９３０の油圧回路において可撓性パイプに頼る必要はない。
【０１１９】
ガントリ９００が印刷システムの基部９１０に張り出していることから、その重心は、昇降用ジャッキ９３０間に対して対称的に位置しない。昇降される時にガントリが傾く傾向に耐えるために、油圧ジャッキ９３０の油圧容量を不均等にすることもできる。例えば、図６において、基部９１０の右手の油圧ジャッキ９３０が、左手の油圧ジャッキよりも大きな直径の作動室を有して形成される場合、昇降機の中心は右に移動して、ガントリ９００の重心に非常に近づき得る。しかしながら、図示の実施形態は、ガントリ９００の張り出し領域から床面まで延在する追加的な油圧ジャッキに頼る。
【０１２０】
ブランケットシステム１００の動作位置では、基材搬送システム５００と正確に位置合わせされ、これに固定される必要がある。これは、図７に概略的に示される方法で達成され得、図７は、射出成形機械の一対の金型部分を合わせてロックするのに用いられるものに類似のロック機構を示している。基部９１０の円錐形の陥凹部９５２内に受けられる、ブランケットシステム１００上の円錐体９５０によって、位置合わせは達成される。円錐体９５０および陥凹部９５２の円錐角は、テーパロックの恐れを回避するために、比較的大きい（５°よりも大きい）。ロックは、油圧または機械的に格納式の舌状部分９５６によって達成され、これが、ブランケットシステム１００に固定された留め具９５４の横方向のノッチに係合する。留め具９５４のノッチの形状は、舌状部分９５６のためのオーバーセンター位置を画定して、ブランケットシステムが、基材をブランケットに対して圧縮するニップ部にかかる圧力に耐え得るようにする。
【０１２１】
図５および図６の印刷システムは、ブランケットシステム１００が、基材搬送システム５００に接触する位置に下げられた状態で示されている。この位置において、画像は、基材上に押し付けられ得、ブランケットシステム１００と画像形成システム３００との間に、インク画像が正確にブランケット上に置かれるための正確な間隔が達成される。動作中、図８において半透明で示されるカバー９６０は、画像形成システム３００およびブランケットシステム１００を囲い、ガントリ９００が上昇および下降させられると、カバーが、基部９１０に対して上下するように、ガントリ９００に固定される。
【０１２２】
ガントリ９００は、さらに摺動可能に表示スクリーン９７０を支持し、これは、印刷システムの正面に置かれ、実質的にブランケットシステムと同じ幅であるか、少なくともその幅の半分よりも大きい。この大画面表示スクリーン９７０は、オペレータに情報を表示するために用いられ得、またこれは、さらにタッチスクリーンとして設計されて、オペレータが印刷システムに命令を入力できるようにしてもよい。表示スクリーン９７０を摺動可能に支持するレール９７５は、図６のように、ガントリ９００上に直接取り付けられる。レール９７５は、ここでは、垂直方向に向けられ、それによって、表示スクリーンが上下に摺動し、印刷システムの内部部品へのアクセスを遮断したり、可能にしたりすることができるように図示されているが、そうせずに、レールが水平であってもよい。本明細書に開示されたものなどの印刷システムに関連する表示スクリーンの適切な取り付けおよび表示装置の使用方法のさらなる詳細は、同時係属中のＰＣＴ国際出願第ＰＣＴ／ＩＢ２０１３／０５０２４５号（代理人参照番号第ＬＩＰ  １５／００１  ＰＣＴ）に提供されている。
【０１２３】
本発明のプロセスによって提供される利点
説明および図示される本発明の実施形態は、プロセス自体と、最終製品の品質との両方に関して、いくつかの利点を提供する。
【０１２４】
水性インク組成物は、印刷プロセスをより環境に優しい状態にする。
【０１２５】
中間転写部材に衝突するインク液滴を凝固することにより、従来用いられる印刷プロセスまたは技術から得られるものよりも薄い、一般に厚さが５００ｎｍまたは６００ｎｍまたは７００ｎｍまたは８００ｎｍ未満である、乾燥したカラードットの形成が可能になる。インク使用量が少ないことに加えて、フィルムは非常に薄いので、基材の表面の凹凸へ密接に追従して、その表面の質感を変えない。したがって、光沢のある基材上に印刷すると、光沢のある画像が得られ、またマットな基材上に印刷する場合、印刷領域は、実質的に非印刷領域よりも光沢をもつことはない。
【０１２６】
各インク液滴がフィルムへと平坦化されると、画像の液体によって溶媒和されない疎水性の表面に置かれることから、表面張力は、液滴に滑らかな輪郭を与えるように作用する。その明瞭な定まった輪郭は、液滴が乾燥されると保持され、基材上に印刷された画像のインクドットの形状に反映される。さらに、より一様でない厚さの液滴から形成される乾燥した色要素よりも、平坦化された形状は一様な色を有する。
【０１２７】
これがインク中のポリマーのフィルム形成特性と組み合わされると、インク液滴およびそれらの一様な薄さは、高品質、高解像度の画像を形成するためのより理想的な媒剤を提供する。
【０１２８】
水性インクおよび疎水性の剥離層の組み合わせは、確実にブランケットの表面がキャリアを少しも吸収しないようにする。対照的に、特定の従来技術のプロセスでは、このような吸収は、ブランケットの膨張およびその表面の歪みをもたらし、その結果、インク残留物にざらつきのある、または粗い表面を生じ、最終的な印刷された画像の品質を損なう。
【０１２９】
これは、各インク液滴が、落下先の表面を濡らす状況、例えば、疎水性の転写部材を利用する有機キャリアを有する着色剤、あるいは水性インクと組み合わせて使用される液体を吸収する、または親水性の転写部材と対比される。このような望ましくない過剰な濡れは、転写部材の表面に存在するあらゆる凹凸に液滴をさらに広がらせ（そして、そのような凹凸を形成させ得る）、印刷された画像における各インクドットを、同じ面積の適切に円形のドットのものと比べて、触手や細流がその周縁を大幅に広げる蜘蛛の巣状にするという結果をもたらす。このような触手状部分のフィルムの厚さは、各ドットの中央よりも必然的に薄くなり、これらの影響の組み合わせにより、ぼやけた境界が不鮮明なインクドットが生じる。
【０１３０】
各液滴により作られたフィルムは、層が２つに割れて、その一部がブランケット上に残るリスクを低減するように、軟化した残留物のより厚い層よりも、基材により確実に押し付けされる。
【０１３１】
一般に、インクジェットプリンタは、色の純度、表面を完全に覆う能力およびインクジェットノズルの密度の間でトレードオフを要する。各インク液滴によって作られるドットが小さい場合、完全に覆うためには、密集したインクジェットノズルを有する必要がある。本発明のプロセスでは、完全に覆うためには、インクジェットノズルの間隔は、転写部材の表面に衝突することにより平坦化した後、または少なくともその寸法が安定した後、インク液滴によって作られ得る最も大きい画像ドットの寸法と同程度であれば十分である。
【０１３２】
インクドットは、明瞭であり、非常に短時間のうちにそれらの最終形態を取っているため、色同士のブリードおよび同じ色の液滴同士の相互作用の量は、低減される。
【０１３３】
基材枚葉紙上に印刷するための印刷システムが図９に示され、これは、図１のものと同じ原理で動作するが、別のアーキテクチャを有する。図９の印刷システムは、エンドレスベルト２１０を備え、これは、画像形成機構２１２、乾燥機構２１４、および印圧付与機構２１６を循環する。図９の画像形成機構２１２は、例えば、図１に示した先述の画像形成システム３００に類似する。
【０１３４】
画像形成機構２１２では、インクジェット技術を用いる１つまたは２つ以上の印刷ヘッドを組み込む、４つの別個の印刷バー２２２は、異なる色の水性インク液滴をベルト２１０の表面上に付着させる。図示の実施形態は４つの印刷バーを有し、それぞれが、典型的な４つの異なる色（すなわち、シアン（Ｃ）、マゼンタ（Ｍ）、イエロー（Ｙ）およびブラック（Ｋ））のうちの１つを付着させ得るが、画像形成機構が、異なる数の印刷バーを有することができ、そして、印刷バーが、異なる色あいの同色（例えば、ブラックを含む様々な色合いのグレー）を付着させたり、２つまたは３つ以上の印刷バーが、同じ色（例えば、ブラック）を付着させたりすることができる。さらなる実施形態では、印刷バーは、顔料のない液体（例えば、化粧または保護ワニス）および特殊色（例えば、金属のような、きらめく、蛍光を発する、または光り輝く外見、あるいはさらに香りつき効果などの視覚効果を得る）の両方、またはいずれか一方に用いられ得る。画像形成機構の各印刷バー２２２の後に続いて、中間乾燥システム２２４が提供されて、高温気体（通常、空気）をベルト２１０の表面上に吹きかけて、インク液滴を部分的に乾燥する。この高温気体流は、インクジェットノズルの閉塞を阻止するのを助け、さらに、ベルト２１０上の異なる色インクの液滴が互いに混じりあうのも阻止する。乾燥機構２１４では、液体キャリアのすべてではなくとも大半を跳ね飛ばして、インクをより完全に乾燥し、粘着性の状態になる点まで加熱される樹脂および着色剤の層だけを残すために、ベルト２１０上のインク液滴は、放射および高温気体の両方、またはいずれか一方に曝される。
【０１３５】
印圧付与機構２１６では、ベルト２１０は、圧胴２２０と、圧縮性のブランケット２１９を担持する加圧胴２１８との間を通過する。ブランケット２１９の長さは、印刷が行われる枚葉基材２２６の最大長さと等しい、またはこれよりも大きい。圧胴２２０は、加圧胴２１８の２倍の直径を有し、同時に２枚の枚葉基材２２６を支持し得る。枚葉基材２２６は、適切な搬送機構（図９に図示せず）によって、供給スタック２２８から、圧胴２２０および加圧胴２１８の間のニップを通って搬送される。ニップ内で、インク画像を担持するベルト２２０の表面は、加圧胴２１８のブランケット２１９によって、基材に対してしっかりと押圧されて、インク画像が基材上に押し付けられ、ベルトの表面からきれいに分離するようにする。次いで、基材は、出力スタック２３０に搬送される。
【０１３６】
一部の実施形態では、画像印圧付与機構の２つの胴２１８および２２０の間のニップの直前に、加熱器２３１が提供されて、転写基材に転写しやすくするためにインクフィルムを粘着性にするのを助け得る。
【０１３７】
その経路に沿って提供される加熱器同様に、異なる機構でのベルト２１０の最適温度は必ずしも同じではないため、例えば、冷気を吹きかけることによって、または冷却液をその表面上に塗布することによって、ベルトを冷却する手段を提供することができる。本発明の実施形態では、処理溶液がベルトの表面に塗布され、処理機構が、冷却機構として働く。
【０１３８】
処理溶液を塗布するのに特に有利な方法は、ベルトの表面上に溶液の噴霧を向け、次いで、エアナイフを用いて塗布された溶液のすべてではないにしても大半を除去して、分子の厚さのコーティングを残すことである。この場合、処理溶液の噴霧および余剰液体の除去の両方が、ベルトの表面上に冷却効果をもたらす。
【０１３９】
上記の図９の実施形態の説明は、簡略化されており、本発明の理解を可能にする目的のためだけに提供されている。効果的な印刷システムには、インクの物理的および化学的特性、ベルト２１０の剥離面の化学組成および可能な処理、および印刷システムの様々な機構の制御のすべてが重要であるが、この文脈において詳細に検討する必要はない。
【０１４０】
インクがベルト２１０の表面からきれいに分離するためには、後者の表面が、疎水性の剥離層を有する必要がある。図１の実施形態では、この疎水性の剥離層は、厚みのあるブランケットの一部として形成され、これはまた、印圧付与機構において剥離層および基材の間を確実に適切に接触させるのに必要な圧縮性のなじみ性のための層を含む。結果として得られるブランケットは、非常に重く高価な品であり、これは、これが果たす多くの機能のいずれかの故障の際、交換される必要がある。
【０１４１】
図９の実施形態では、疎水性の剥離層は、これを基材枚葉紙２２６に対して押圧するのに必要な厚みのあるブランケット２１９からの分離要素の一部分を形成する。図９において、剥離層は、好ましくはその長手方向の大きさの引張強度を増すために繊維強化された、可撓性の薄い非伸長性のベルト２１０上に形成される。図９の印刷システムは、同時係属中の特許出願第ＰＣＴ／ＩＢ２０１３／０５１７１８号（代理人参照番号第ＬＩＰ  ５／００６  ＰＣＴ）にさらに詳しく説明されているのだが、エンドレスベルト２１０を備え、これは、画像形成機構２１２、乾燥機構２１４、および印圧付与機構２１６を循環する。
【０１４２】
図１１および図１２に概略的に示されるように、本発明の一部の実施形態において、ベルトをその幅方向の大きさにピンと張った状態に保つために、ベルト２１０の横方向縁部が、両側がそれぞれの案内溝２８０（図１２に断面を、図３−図４にトラック１８０として示されている）に受けられる構造または突出部２７０と共に提供される。突出部２７０は、片側をベルトの側縁部に縫い付け、またはその他の方法で固定されたジッパーの務歯であり得る。間隔を空けた突出部の代わりに、ベルト２１０よりも厚みのある連続的な可撓性の玉が両側に沿って提供されてもよい。摩擦を低減するために、案内溝２８０は、図１２に示されるように、転がり軸受要素２８２を有して、突出部２７０または玉を溝２８０内に保持し得る。
【０１４３】
突出部は、ベルトの高速動作を含む、印刷システムの動作条件に耐え得る任意の材料から作られ得る。適切な材料は、約５０℃から２５０℃までの範囲の高温に耐え得る。有利なことに、このような材料はまた、耐摩擦性であり、その動作寿命の間、ベルトの動きに負の影響を与えるサイズおよび量の両方、またはいずれか一方の破片を出さない。例えば、横方向突出部は、二硫化モリブデンで強化したポリアミドから作られ得る。
【０１４４】
画像形成機構の案内溝は、確実にインク液滴がベルト２１０上へ正確に配置されるようにする。乾燥機構２１４および印圧付与機構２１６内などのその他の場所では、横方向の案内溝は望ましいが、それほど重要ではない。ベルト２１０がたるんでいる領域では、案内溝は存在しない。
【０１４５】
ベルト２１０を案内するために取られるすべてのステップは、案内溝２８０がトラック１８０とも呼ばれる、図１から図８までの実施形態におけるブランケット１０２の案内に対して同様に適用可能である。
【０１４６】
いかなる一時的な中断や振動も異なる色のインク液滴の見当合わせに影響するため、画像形成機構２１２においては、ベルト２１０を一定の速度で動かすことが重要である。ベルトを円滑に案内するのを助けるためには、ベルトを静止した案内板の上を滑らせるのではなく、ベルトを各印刷バー２２２に隣接するローラ２３２の上に通過させることによって、摩擦は低減される。ローラ２３２は、それらのそれぞれの印刷バーに正確に位置合わせされる必要はない。それらは、印刷ヘッドの噴出位置のわずかに（例えば、数ミリメートル）下流に配置されてもよい。摩擦力は、ベルトをピンと張った状態に、かつ、印刷バーに対して実質的に平行に保つ。したがって、ベルトの裏面は、これが案内されるすべての表面に唯一転がり接触することから、高い摩擦性を有し得る。案内溝によって加えられる横方向の張力は、印刷バー２２２の下を通る際に、ベルト２１０を平坦に、ローラ２３２に接触させ続けるのに十分であればよい。非伸長性の強化／指示層、疎水性の剥離面の層および高摩擦の裏面に加えて、ベルト２１０は、いかなるその他の機能も果たす必要はない。したがって、破損した場合に取り外しおよび交換が容易な、薄い軽量の非伸張性のベルトであり得る。
【０１４７】
疎水性の剥離層および基材の間の密接な接触を達成するために、ベルト２１０は、圧胴および加圧胴２２０および２１８を備える印圧付与機構２１６通過する。加圧胴２１８の外面上に取り外し可能に固定される交換可能なブランケット２１９は、ベルト２１０の剥離層を基材枚葉紙２２６と接触するように促すのに必要とされるなじみ性を提供する。印圧付与機構の両側のローラ２５３は、印圧付与機構２１６の胴２１８および２２０の間のニップを通過する際に、ベルトが確実に所望の向きに維持されるようにする。
【０１４８】
上に説明したように、印刷された画像を高品質にする場合は、温度制御は、印刷システムに最も重要である。ベルトの熱容量が、図１から図８の実施形態におけるブランケット１０２のものよりもはるかに小さいという点で、このことは、図９の実施形態ではかなり簡略化されている。
【０１４９】
さらに、厚みのあるブランケット１０２を用いる実施形態に関して、ブランケットが下方から加熱されるという観点から、ブランケットの熱容量に影響を与える追加の層を含めることが上に提案されている。図９の実施形態において、ベルト２１０をブランケット２１９から分離することは、インク液滴の温度を、乾燥セクション２１４においてはるかに少ないエネルギーを用いて樹脂の軟化温度まで乾燥および加熱できるようにする。さらに、ベルトは画像形成機構に戻る前に冷え、このことは、インクジェットノズルの極めて近くを走行する高温の表面上にインク液滴を吹きかけようとすることによって生じる問題を軽減または回避する。代替的および追加的に、冷却機構が印刷システムに追加されて、ベルトが画像形成機構に入る前に、ベルトの温度を所望の値に低下させてもよい。冷却は、水または洗浄／処理溶液であり得る冷却剤に下半分が浸されたローラの上にベルト２１０を通すことによって、冷却剤をベルト上に吹きかけることによって、あるいはベルト２１０を冷却剤の源（ｆｏｕｎｔａｉｎ）上に通過させることによって達成され得る。
【０１５０】
説明したように、プロセスの様々な段階における温度は、使用される中間転写部材およびインクの実際の組成に応じて変わり得、さらに所与の機構に沿った様々な位置で変動し得るが、本発明の実施形態では、画像形成機構における転写部材の外面の温度の範囲は、４０℃および１６０℃の間、または６０℃および９０℃の間である。本発明の一部の実施形態では、ドライヤー機構における温度の範囲は、９０℃および３００℃の間、または１５０℃および２５０℃の間、または２００℃および２２５℃の間である。本発明の一部の実施形態では、印圧付与機構における温度の範囲は、８０℃および２２０℃の間、または１００℃および１６０℃の間、または約１２０℃、または約１５０℃である。冷却機構が、転写部材を画像形成機構に、そのような機構の動作範囲に適合する温度で侵入させることが望ましい場合、冷却温度の範囲は、４０℃および９０℃の間であり得る。
【０１５１】
本発明の一部の実施形態では、ベルト２１０の剥離層は、疎水性であって、印圧付与機構において、粘着性のインク残留物画像が、確実に剥離層からきれいに剥がれ去るようにする。しかしながら、画像形成機構では、同じ疎水性の特性は望ましくない。それは、疎水性の表面上で水性インク液滴が動き回り得、また衝突時に平坦化して、各液滴におけるインクの質量に応じて増加する直径を有する液滴を形成せずに、インクが球形の小球に丸まりやすいからである。疎水性の外面を有する剥離層を伴う実施形態では、したがって、まず、衝突時に平坦化して円盤になり、次いで、乾燥および転写段階の間、それらの平坦化した形状を維持するように、インク液滴に働きかける段階を経なければならない。
【０１５２】
この目的を達成するために、本発明のすべての実施形態において、液体インクが、ブレンステッド・ローリーのプロトン移動によって帯電可能な成分を備えて、プロトン移動によってベルトの外面との接触に引き続いて、液体インク液滴に電荷を獲得させて、帯電した液体インク液滴間で静電相互作用を生じるようにし、また、ベルトの外面上には、反対の電荷を獲得させることが望ましい。このような静電荷は、液滴をベルトの外面に固定し、球形の小球を形成しない。
【０１５３】
ブレンステッド・ローリーのプロトン移動によるファンデルワールス力は、アミノシリコーンなどの剥離層の化学組成の一部分を形成する成分、または、画像形成機構２１２に到達する前に、ベルト２１０の表面に塗布される高電荷密度ＰＥＩなどの処理溶液（例えば、処理されるべきベルトが、シラノール終端されたポリジアルキルシロキサンシリコーンを備える剥離層を有する場合）のいずれかを伴う、インクの相互作用に起因し得る。
【０１５４】
特定の理論に縛られることを望むものではないが、インクキャリアの蒸発に際して、水を含む状態が縮小することにより、インクの成分および剥離層もしくはその処理溶液のそれぞれのプロトン化が減少し、これにより、その間の静電相互作用を弱め、基材に転写されると、乾燥したインク画像がベルトから剥がれ得るようにすると考えられる。
【０１５５】
ベルト２１０は、継ぎ目なし、すなわち、その長さに沿ってどこにも不連続部分がないようにし得る。このようなベルトは、印圧付与機構の２つの胴２１８および２２０の周速度と同じ表面速度で走行するように常に操作され得るため、印刷システムの制御を大幅に簡略化する。いかなる経年変化によるベルトの伸びも印刷システムの性能に影響せず、単に、後述の引張ローラ２５０および２５２によって加わったたるみをとるだけでよい。
【０１５６】
しかしながら、最初は平坦な条片としてベルトを形成すると、より廉価であり、例えば、ジッパーによって、または場合により面ファスナテープによって、または場合により縁部を合わせてはんだ付けすることによって、または場合によりテープ（例えば、結合条片が条片の両方の縁部に重なる状態での、Ｋａｐｔｏｎ（登録商標）テープ、ＲＴＶ液体接着剤またはＰＴＦＥ熱可塑性接着剤）を用いることによって、この条片の両端を互いに固定させる。このようなベルトの構成では、シーム部上では印刷が行われないようにすること、そして、印圧付与機構２１６においてシーム部が基材２２６に対して押し付けられないようにすることが重要である。
【０１５７】
印圧付与機構２１６の圧胴および加圧胴２１８および２２０は、従来型のオフセット平版印刷機のブランケットおよび圧胴と同じように構成されてもよい。このような胴では、加圧胴２１８の表面のブランケット２１９の２つの端部が固定される領域において、円周方向に不連続部分がある。圧胴の表面にも不連続部分があり、これは、基材枚葉紙の前縁部を把持して、ニップを通って搬送するのを助ける働きをする把持部を収容する。本発明の図示の実施形態では、圧胴の周囲の長さは、加圧胴の周囲の長さの２倍であり、圧胴は２セットの把持部を有するため、不連続部は、圧胴が一周するたびに２度現れる。
【０１５８】
ベルト２１０にシーム部がある場合、シーム部を、確実に印圧付与機構２１６の胴間の間隔と常に同期させる必要がある。このため、ベルト２１０の長さは、加圧胴２１８の周囲の長さの整数倍となることが望ましい。
【０１５９】
しかしながら、新品の際には、ベルトがそのような長さであったとしても、例えば、疲労または温度で、その長さは使用中に変わり得る。このことが起こると、それがニップを通過する際のシーム部の位相は、毎周変わる。
【０１６０】
ベルト２１０の長さにおけるこのような変化を補正するために、これは、印圧付与機構２１６の胴とはわずかに異なる速度で駆動され得る。ベルト２１０は、２つの別個に動力を供給されるローラ２４０および２４２によって駆動される。ベルトを駆動するローラ２４０および２４２を介して異なるトルクを与えることによって、画像形成機構を通過するベルトの走行面は、制御された張力の下に維持される。２つのローラ２４０および２４２の速度は、印圧付与機構２１６の胴２１８および２２０の表面の速度とは異なるように設定され得る。代替的または追加的に、ベルトは、円筒形でなくてもよい支持面によって駆動または移動され得る。例えば、回転するローラの代わりに、支持面は、平坦かつ動作可能であって、ベルトの一部を直線移動させる。ベルトの支持される部分に対して生みだされる動きの形状および種類によらず、このような案内または駆動手段は、支持面と総称され得る。
【０１６１】
２つの動力を供給される引張ローラ、またはダンサー、２５０および２５２は、印圧付与機構の胴間のニップの両側に１つずつ提供される。これらの２つのダンサー２５０、２５２は、ニップ前後において、ベルト２１０のたるみの長さを制御するように用いられ、それらの動きは、それぞれのダンサーに隣接する両矢印によって模式的に示されている。
【０１６２】
ベルト２１０が加圧胴の周囲の長さの整数倍よりもわずかに長い場合、図１でのように、あるサイクルでシーム部が印圧付与機構の胴２１８および２２０の間の拡大した間隙に位置合わせされるならば、次のサイクルでシーム部は右に動くはずである。これを補正するために、ローラ２４０および２４２によってベルトはより速く駆動されて、たるみがニップに右側に築かれ、張力がニップの左側に築かれるようにする。ベルト２１０を正しい張力に維持するために、ダンサー２５２が上昇させられるのと同時に、ダンサー２５０は、下降させられる。印圧付与機構の胴の不連続部が互いに向き合い、その間に間隙ができる場合、ダンサー２５２は下降させられ、ダンサー２５０は上昇させられて、ニップを通るベルトの走行面を加速し、シーム部を間隙内に運ぶ。
【０１６３】
ニップを通って加速される際、ベルト２１０にかかる抵抗を減らすため、図５に示されるように、加圧胴２１８には、ブランケットの端部間の不連続領域内に、ローラ２９０が提供される。
【０１６４】
この方法でベルトの位相を補正する必要性は、ベルト２１０の長さを測定すること、または、印圧付与機構の胴の位相に対するベルト上の１つまたは２つ以上のマーカの位相を監視することのいずれかによって感知され得る。マーカ（複数可）は、例えば、ベルトの表面に塗布され得、適切な検出器により磁気的または光学的に感知され得る。
あるいは、マーカは、ベルトを引っ張り、張力下に維持するのに用いられる横方向突出部の変則、例えば、歯を欠くなどの形態を取ることによって、機械的な位置指示器として働き得る。
【０１６５】
ベルトに電子回路、例えば、「チップ・アンド・ピン」方式のクレジットカードに見出されるものに似たマイクロチップを組み込むことがさらに可能であり、これにデータが記憶され得る。マイクロチップは、読み出し専用メモリのみを備えてもよく、その場合、ベルトが製造された場所と時、およびベルトの物理的または化学的特性の詳細などのデータを記録するために製造業者によって用いられ得る。データは、カタログ番号、バッチ番号および任意のその他の識別子に関し得、ベルトの使用およびそのユーザの両方、またはいずれか一方に関する情報を提供し得る。このデータは、据え付け時または動作時に印刷システムのコントローラによって読み出され、例えば、校正パラメータを決定するために使用される。代替的に、または追加的に、チップは、マイクロチップ上の印刷システムのコントローラによってデータを記録され得るようにするランダムアクセスメモリを含み得る。この場合、データは、ベルトを用いて印刷したページ数または巻取紙の長さなどの情報、または新しい印刷実行を開始する際に、印刷システムを再校正するのを助けるために、ベルト長さなどの先に測定したベルトパラメータを含み得る。マイクロチップ上の読み書きは、マイクロチップの端子と直接電気的に接触することによって、達成されてもよく、この場合、ベルトの表面上に接触導体が提供され得る。あるいは、データは、マイクロチップから無線信号を用いて読み出されてもよく、この場合、マイクロチップは、ベルトの表面上の電磁誘導式ループによって電力を供給され得る。
【０１６６】
図９の印刷システムは、個々の基材枚葉紙上への印刷を意図される。連続的な巻取紙上に印刷するために類似のシステムを用いることができ、この場合、加圧胴は、その周囲の一部の周りにブランケットを巻かれるのではなく、圧縮性連続外面を有する。さらに、圧胴に把持部を組み込む必要はない。
【０１６７】
本明細書に開示されたものなどの印刷システムに適する監視方法のさらなる詳細は、同時係属中のＰＣＴ国際出願第ＰＣＴ／ＩＢ２０１３／０５１７２７号（代理人参照番号第ＬＩＰ  １４／００１  ＰＣＴ）に提供されている。
【０１６８】
本発明の実施形態の印刷システムのさらなる重要な利点は、これらが、既存の平版印刷機の修正によって生産され得ることである。既存の機器を適合させる能力は、既に存在するハードウェアの大半を保存する一方で、現在普通に使われている技術から変換するために必要な投資を大幅に削減する。特に、図１の実施形態の場合では、タワーの修正には、版胴を一式の印刷バーに置き換えること、および加圧胴を疎水性の外面を有する、または適切なブランケットを担持する転写ドラムに置き換えることが含まれる。図９の実施形態の場合、版胴は、一式の印刷バーおよび既存の版および加圧胴の間を通過するベルトによって置き換えられる。基材ハンドリングシステムがもしあっても、ほとんど修正を必要としない。カラー印刷機は、通常いくつかのタワーから形成され、タワーのすべてまたは一部のみをデジタル印刷タワーに変換できる。様々な利点を提供する種々の構成が可能である。例えば、２つの連続的なタワーは、両面印刷胴がその間に配置されるならば、両面印刷を可能にするマルチカラーデジタルプリンタとして構成され得る。あるいは、複数の同じ色の印刷バーが１つのタワーに提供されて、印刷機全体の速度を上げることができる。
【０１６９】
本出願人の上述の出願のすべての内容は、参照により、本明細書において完全に説明されたかのように、援用される。
【０１７０】
その実施形態の詳細な記述を用いて、本発明を説明してきたが、これらは、例として提供されるものであり、本発明の範囲を限定することを意図されるものではない。説明された実施形態は、様々な特長を備えるが、これらすべてが、本発明のすべての実施形態において必要とされるのではない。本発明の一部の実施形態は、特徴の一部のみ、または特徴の実行可能な組み合わせを利用する。説明された本発明の実施形態の変形、および、説明された実施形態において言及された特徴の様々な組み合わせを備える本発明の実施形態を、本発明の属する技術分野の当業者であれば想到するはずである。
【０１７１】
本開示の説明および特許請求の範囲において、動詞「備える（ｃｏｍｐｒｉｓｅ）」、「含む（ｉｎｃｌｕｄｅ）」および「有する（ｈａｖｅ）」のそれぞれ、ならびにこれらの同根語は、動詞の目的語（ｏｂｊｅｃｔ  ｏｒ  ｏｂｊｅｃｔｓ）が、必ずしも動詞の主語（ｓｕｂｊｅｃｔ  ｏｒ  ｓｕｂｊｅｃｔｓ）の部材、構成要素、要素または部品の完全な列挙ではないことを示すために用いられる。本明細書で用いられる場合、単数形「ひとつの（ａ、ａｎ）」および「その（ｔｈｅ）」は、文脈上例外が明記されていない限り、複数形の意味を含む。例えば、「印圧付与機構（ａｎ  ｉｍｐｒｅｓｓｉｏｎ  ｓｔａｔｉｏｎ）」または「少なくとも１つの印圧付与機構（ａｔ  ｌｅａｓｔ  ｏｎｅ  ｉｍｐｒｅｓｓｉｏｎ  ｓｔａｔｉｏｎ）」の語は、複数の印圧付与機構（ａ  ｐｌｕｒａｌｉｔｙ  ｏｆ  ｉｍｐｒｅｓｓｉｏｎ  ｓｔａｔｉｏｎｓ）を含み得る。
【図１】
2019073018.tif 000005
【図２】
2019073018.tif 000006
【図３】
2019073018.tif 000007
【図４】
2019073018.tif 000008
【図５】
2019073018.tif 000009
【図６】
2019073018.tif 000010
【図７】
2019073018.tif 000011
【図８】
2019073018.tif 000012
【図９】
2019073018.tif 000013
【図１０】
2019073018.tif 000014
【図１１】
2019073018.tif 000015
【図１２】
2019073018.tif 000016
【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
印刷プロセスであって、
−ポリエチレンイミン（ＰＥＩ）を備える処理溶液を中間転写部材（ＩＴＭ）の疎水性の外面に塗布することと、
−インク画像を形成するように、インクの液滴を前記中間転写部材の外面上に向けることであって、前記インクは、有機ポリマー樹脂および着色剤を水性キャリア中に含み、前記インク画像内の各インク液滴は、インクフィルムを形成するように衝突時に前記中間転写部材上で広がることと、
−前記インク画像が前記中間転写部材により運ばれる間に、樹脂および着色剤の残留フィルムを残すように、前記水性キャリアを前記インク画像から蒸発させることによって、前記インクを乾燥することと、
−前記残留フィルムを基材に転写することと、
を備える、印刷プロセス。
【請求項２】
前記中間転写部材の外面の化学組成が正電荷を提供する分子を含み、前記分子が１つ以上のブレンステッド塩基官能基を有する、請求項１に記載の印刷プロセス。
【請求項３】
前記インクが、ブレンステッド酸官能基を含む１つ以上の負に帯電したかまたは負帯電性の基を有する分子を備える、請求項１に記載の印刷プロセス。
【請求項４】
前記処理溶液を前記中間転写部材の外面に塗布することが、その極性を正に反転するのに効果的である、請求項１に記載の印刷プロセス。
【請求項５】
前記中間転写部材の負に帯電したかまたは負帯電性の表面が、シラノール、シリルまたはシラン修飾または終端処理されたポリジアルキルシロキサン硬化性シリコーンポリマー、ハイブリッド、および／またはそれらの混合物から選択される分子を備える、請求項４に記載の印刷プロセス。
【請求項６】
前記処理溶液が、コーティングローラ、流体源、霧雨、エアナイフ、およびそれらの組み合わせから選択される手段によって前記中間転写部材の表面に塗布され、前記表面からすぐに除去される、請求項１に記載の印刷プロセス。
【請求項７】
前記処理溶液が、前記インク画像の形成の前に乾燥プロセスを受け、それにより、前記インク液滴が乾燥した表面上に向けられる、請求項１に記載の印刷プロセス。
【請求項８】
前記中間転写部材が、可撓性のエンドレスブランケットまたはベルトであり、前記中間転写部材の外面が、その上に前記インク画像が形成される疎水性の外面である、請求項１に記載の印刷プロセス。
【請求項９】
前記残留フィルムを前記基材上に転写する前に、前記インク画像が、前記水性キャリアの蒸発後に残る樹脂および着色剤の残留フィルムが軟化される温度に加熱される、請求項１に記載の印刷プロセス。
【請求項１０】
前記中間転写部材上の前記残留フィルムの温度が前記基材の温度よりも高く、それにより、前記残留フィルムが前記基材への付着の最中に冷える、請求項９に記載の印刷プロセス。
【請求項１１】
前記処理溶液が、前記インク画像の形成の前に乾燥プロセスを受ける、請求項１に記載の印刷プロセス。
【請求項１２】
前記処理溶液が、高圧気体流への曝露により乾燥される、請求項１１に記載の印刷プロセス。
【請求項１３】
（ｉ）前記インク画像が、前記液滴を画像形成機構に向けることにより形成され、（ｉｉ）案内溝が、少なくとも前記画像形成機構に配置され、（ｉｉｉ）前記中間転写部材が、前記中間転写部材の側縁部上に横方向構造を備え、前記横方向構造は、前記中間転写部材をその幅方向にピンと張った状態に保つように前記案内溝に適合する、請求項１に記載の印刷プロセス。
【請求項１４】
印刷システムであって、
−疎水性の外面を有する中間転写部材（ＩＴＭ）と、
−ポリエチレンイミン（ＰＥＩ）を備える処理溶液が、前記中間転写部材の疎水性の外面に塗布される処理機構と、
−インク画像を形成するために、インクの液滴が前記中間転写部材上に向けられる画像形成機構であって、前記インクは、有機ポリマー樹脂および着色剤を水性キャリア中に含み、前記インク画像内の各インク液滴は、インクフィルムを形成するように衝突時に前記中間転写部材上で広がる、画像形成機構と、
−前記インク画像が前記中間転写部材により運ばれる間に、樹脂および着色剤の残留フィルムを残すように、前記水性キャリアを前記インク画像から蒸発させることによって前記インクが乾燥される乾燥機構と、
−前記残留フィルムが前記中間転写部材から基材に転写される印圧付与機構と、
を備える、印刷システム。
【請求項１５】
異なるインクの色が、前記画像形成機構内の中間転写部材の表面に連続的に塗布され、加熱気体が、それらの付着後であるが、前記中間転写部材上への次のインクの色の付着前に各インクの色の液滴上に吹きかけられる、請求項１４に記載の印刷システム。
【請求項１６】
前記印圧付与機構が、圧縮性の外面を有するかまたは圧縮性のブランケットを担持する加圧胴と、圧胴とを備え、前記中間転写部材が、前記加圧胴の周囲長よりも大きい長さを有するエンドレスベルトを備え、前記エンドレスベルトが、前記圧胴および前記加圧胴の間のニップを通過し、前記エンドレスベルトの長さの一部分のみの上で前記加圧胴に接触する、請求項１４に記載の印刷システム。
【請求項１７】
前記中間転写部材が、ガイドローラまたは支持面上に案内される圧縮性の層を組み込み、可動式のニップローラが圧胴に対して押し付けられることによって選択的に変形可能である走行面またはその領域を有するエンドレスブランケットである、請求項１４に記載の印刷システム。
【請求項１８】
前記中間転写部材が、前記中間転写部材の側縁部上に横方向構造をさらに備え、前記横方向構造は、前記中間転写部材をその幅方向にピンと張った状態に保つように、少なくとも前記画像形成機構に配置された案内溝に適合する、請求項１４に記載の印刷システム。
【請求項１９】
前記インク画像の形成の前に、前記処理溶液の溶媒を蒸発させるように前記溶媒を加熱するための熱源をさらに備える、請求項１４に記載の印刷システム。
【請求項２０】
前記インク画像の形成の前に、前記処理溶液を乾燥するための高圧気体流源をさらに備える、請求項１４に記載の印刷システム。